(57)【要約】【課題】収納部の回収作業の手間を軽減可能となる貨幣処理装置を提供する。【解決手段】装置外から貨幣が入金される入金部と、入金部に入金された貨幣を収納すると共に、収納した貨幣を繰り出す収納繰出部と、装置本体４１から取り出し可能とされ、入金部に入金された貨幣を収納する複数の収納部７１ａ〜７１ｆと、複数の収納部７１ａ〜７１ｆのうちの何れかの収納部で貨幣が満杯に近いニアフル状態になった時に、他の収納部のうち貨幣が所定量以上ある収納部について、対応する金種の貨幣を収納させて満杯に近いニアフル状態にする同時回収処理を行う制御部とを備えている。【選択図】図９
2018181265.tif 000002
【特許請求の範囲】
【請求項１】
装置外から貨幣が入金される入金部と、
前記入金部に入金された貨幣を収納すると共に、収納した貨幣を繰り出す収納繰出部と、
装置本体から取り出し可能とされ、前記入金部に入金された貨幣を収納する複数の収納部と、
前記複数の収納部のうちの何れかの前記収納部で貨幣が満杯に近いニアフル状態になった時に、他の前記収納部のうち貨幣が所定量以上ある前記収納部について、対応する金種の貨幣を収納させて満杯に近いニアフル状態にする同時回収処理を行う制御部と
を備えていることを特徴とする貨幣処理装置。
【請求項２】
装置外から貨幣が入金される入金部と、
前記入金部に入金された貨幣を収納すると共に、収納した貨幣を繰り出す収納繰出部と、
装置本体から取り出し可能とされ、前記入金部に入金された貨幣を収納する複数の収納部と、
前記複数の収納部のうちの何れかの前記収納部で貨幣が満杯に近いニアフル状態になった時に、他の前記収納部のうち貨幣が所定量以上ある前記収納部について、対応する金種の貨幣を収納させて満杯にする同時回収処理を行う制御部と
を備えていることを特徴とする貨幣処理装置。
【請求項３】
装置外から貨幣が入金される入金部と、
前記入金部に入金された貨幣を収納すると共に、収納した貨幣を繰り出す収納繰出部と、
装置本体から取り出し可能とされ、前記入金部に入金された貨幣を収納する複数の収納部と、
前記複数の収納部のうちの何れかの前記収納部で貨幣が満杯に近いニアフル状態になった時に、ニアフル状態になった前記収納部と、他の前記収納部のうち貨幣が所定量以上ある前記収納部とについて、それぞれ対応する金種の貨幣を収納させて満杯にする同時回収処理を行う制御部と
を備えていることを特徴とする貨幣処理装置。
【請求項４】
前記制御部は、前記収納部の貨幣量が所定のニアフル値になると当該収納部が前記ニアフル状態になったと判定することになり、前記ニアフル値が、設定変更可能であることを特徴とする請求項１から３の何れか一項記載の貨幣処理装置。
【請求項５】
前記収納部は、
前記装置本体から貨幣が送り込まれる開口部を開閉するシャッタを有する収納庫、又は、前記装置本体から貨幣が送り込まれる常時開口の開口部を有する収納箱、又は、前記装置本体から貨幣が送り込まれる常時開口の開口部を有する収納袋であることを特徴とする請求項１から４の何れか一項記載の貨幣処理装置。
【請求項６】
前記装置本体は、引き出されることで前記収納部が取り出し可能となる収納引出部を有し、
前記収納引出部は、
前記装置本体から前記収納部に貨幣を送り込む際に貨幣を通過させる開口部と、
該開口部へのアクセスを検出するセンサと
を備えていることを特徴とする請求項１から５の何れか一項記載の貨幣処理装置。
【請求項７】
前記装置本体から取り外し可能とされ、前記収納繰出部から繰り出された貨幣を受け入れる出金部と、
前記装置本体に前記出金部と交換して装着可能であり、前記収納繰出部から繰り出された貨幣を前記装置本体外に導いて放出するシュートと
を更に備えていることを特徴とする請求項１から６の何れか一項記載の貨幣処理装置。
【請求項８】
前記入金部と前記収納繰出部と前記収納部とを有する貨幣処理部と、
前記収納繰出部から繰り出された貨幣を所定枚数ずつ纏める纏め処理を行う纏め処理部と、を備え、
前記収納繰出部の貨幣の前記纏め処理部への繰出処理及び前記纏め処理部の纏め処理と、前記入金部から前記収納部への貨幣の収納処理とが並行処理可能であり、
前記制御部は、前記並行処理中に、前記貨幣処理部及び前記纏め処理部の一方の処理が停止しても、他方の処理を継続して行うことを特徴とする請求項１から７の何れか一項記載の貨幣処理装置。
【発明の詳細な説明】
【技術分野】
【０００１】
本発明は、貨幣の処理を行う貨幣処理装置に関する。
【背景技術】
【０００２】
入金された硬貨を金種別に選別し、選別した硬貨を、硬貨を金種別に収納可能な収納庫と、硬貨を金種別に収納及び繰り出し可能な収納繰出部とに選択的に収納する硬貨処理装置がある（例えば特許文献１参照）。この種の硬貨処理装置においては、収納庫内に複数の硬貨カセットが収容されており、その硬貨を硬貨カセットごと硬貨処理装置から取り出して硬貨を所定の場所に移して保管する回収作業を行っている。
【先行技術文献】
【特許文献】
【０００３】
【特許文献１】特許第５１３５１０３号公報
【発明の概要】
【発明が解決しようとする課題】
【０００４】
しかしながら、１つの貨幣カセットが回収対象になる度毎に、回収対象となった貨幣カセットの回収作業を行うので、貨幣カセットの回収作業を短時間に続けて何度も行わなければならないことがあり、貨幣カセットの回収作業に手間がかかる場合がある。
【０００５】
本発明は、このような事情を鑑みてなされたものであり、収納部の回収作業の手間を軽減可能となる貨幣処理装置を提供する。
【課題を解決するための手段】
【０００６】
上記目的を達成するために、本発明に係る第１の態様は、装置外から貨幣が入金される入金部と、前記入金部に入金された貨幣を収納すると共に、収納した貨幣を繰り出す収納繰出部と、装置本体から取り出し可能とされ、前記入金部に入金された貨幣を収納する複数の収納部と、前記複数の収納部のうちの何れかの前記収納部で貨幣が満杯に近いニアフル状態になった時に、他の前記収納部のうち貨幣が所定量以上ある前記収納部について、対応する金種の貨幣を収納させて満杯に近いニアフル状態にする同時回収処理を行う制御部とを備えていることを特徴とする。
【０００７】
上記第１の態様によれば、制御部は、複数の収納部のうちの何れかの収納部で貨幣が満杯に近いニアフル状態になった時に、他の収納部のうち貨幣が所定量以上ある収納部について、対応する金種の貨幣を収納させて満杯に近いニアフル状態にする同時回収処理を行う。よって、収納部の回収作業を短時間に続けて何度も行わなければならない状況になることを抑制できる。
【０００８】
本発明に係る第２の態様は、装置外から貨幣が入金される入金部と、前記入金部に入金された貨幣を収納すると共に、収納した貨幣を繰り出す収納繰出部と、装置本体から取り出し可能とされ、前記入金部に入金された貨幣を収納する複数の収納部と、前記複数の収納部のうちの何れかの前記収納部で貨幣が満杯に近いニアフル状態になった時に、他の前記収納部のうち貨幣が所定量以上ある前記収納部について、対応する金種の貨幣を収納させて満杯にする同時回収処理を行う制御部とを備えていることを特徴とする。
【０００９】
上記第２の態様によれば、制御部は、複数の収納部のうちの何れかの収納部で貨幣が満杯に近いニアフル状態になった時に、他の収納部のうち貨幣が所定量以上ある収納部について、対応する金種の貨幣を収納させて満杯にする同時回収処理を行う。よって、収納部の回収作業を短時間に続けて何度も行わなければならない状況になることを抑制できる。貨幣が所定量以上ある収納部を満杯にするため、より多くの貨幣を回収できる。
【００１０】
本発明に係る第３の態様は、装置外から貨幣が入金される入金部と、前記入金部に入金された貨幣を収納すると共に、収納した貨幣を繰り出す収納繰出部と、装置本体から取り出し可能とされ、前記入金部に入金された貨幣を収納する複数の収納部と、前記複数の収納部のうちの何れかの前記収納部で貨幣が満杯に近いニアフル状態になった時に、ニアフル状態になった前記収納部と、他の前記収納部のうち貨幣が所定量以上ある前記収納部とについて、それぞれ対応する金種の貨幣を収納させて満杯にする同時回収処理を行う制御部とを備えていることを特徴とする。
【００１１】
上記第３の態様によれば、制御部は、複数の収納部のうちの何れかの収納部で貨幣が満杯に近いニアフル状態になった時に、ニアフル状態になった収納部と、他の収納部のうち貨幣が所定量以上ある収納部とについて、それぞれ対応する金種の貨幣を収納させて満杯にする同時回収処理を行う。よって、収納部の回収作業を短時間に続けて何度も行わなければならない状況になることを抑制できる。ニアフル状態になった収納部と、貨幣が所定量以上ある収納部とを満杯にするため、より多くの貨幣を回収できる。
【００１２】
本発明に係る第４の態様は、上記第１から第３の何れか一態様において、前記制御部は、前記収納部の貨幣量が所定のニアフル値になると当該収納部が前記ニアフル状態になったと判定することになり、前記ニアフル値が、設定変更可能であることを特徴とする。
【００１３】
上記第４の態様によれば、制御部は、収納部がニアフル状態になったと判定する基準となるニアフル値が設定変更可能であるため、収納部が任意の貨幣量で回収可能となる。
【００１４】
本発明に係る第５の態様は、上記第１から第４の何れか一態様において、前記収納部は、前記装置本体から貨幣が送り込まれる開口部を開閉するシャッタを有する収納庫、又は、前記装置本体から貨幣が送り込まれる常時開口の開口部を有する収納箱、又は、前記装置本体から貨幣が送り込まれる常時開口の開口部を有する収納袋であることを特徴とする。
【００１５】
上記第５の態様によれば、収納部が、装置本体から貨幣が送り込まれる開口部を開閉するシャッタを有する収納庫、又は、装置本体から貨幣が送り込まれる常時開口の開口部を有する収納箱、又は、装置本体から貨幣が送り込まれる常時開口の開口部を有する収納袋であるため、貨幣を容易に回収することができる。
【００１６】
本発明に係る第６の態様は、上記第１から第５の何れか一態様において、前記装置本体は、引き出されることで前記収納部が取り出し可能となる収納引出部を有し、前記収納引出部は、前記装置本体から前記収納部に貨幣を送り込む際に貨幣を通過させる開口部と、該開口部へのアクセスを検出するセンサとを備えていることを特徴とする。
【００１７】
上記第６の態様によれば、収納引出部が引き出された状態で、その開口部へのアクセスをセンサが検出する。よって、収納引出部の重量増を抑制しつつセキュリティ性を高めることができる。
【００１８】
本発明に係る第７の態様は、上記第１から第６の何れか一態様において、前記装置本体から取り外し可能とされ、前記収納繰出部から繰り出された貨幣を受け入れる出金部と、前記装置本体に前記出金部と交換して装着可能であり、前記収納繰出部から繰り出された貨幣を前記装置本体外に導いて放出するシュートとを更に備えていることを特徴とする。
【００１９】
上記第７の態様によれば、収納繰出部から繰り出された貨幣を受け入れる出金部を装置本体から取り外し、これと交換で、装置本体にシュートを装着すると、シュートが、収納繰出部から繰り出された貨幣を装置本体外に導いて放出する。このため、収納繰出部から装置本体外に放出する貨幣量が、受け側での制限を受けにくい。よって、同時回収処理時に、収納繰出部から繰り出された貨幣を短時間で収納部に追加することが可能となり、同時回収処理の時間を短縮できる。
【００２０】
本発明に係る第８の態様は、上記第１から第７の何れか一態様において、前記入金部と前記収納繰出部と前記収納部とを有する貨幣処理部と、前記収納繰出部から繰り出された貨幣を所定枚数ずつ纏める纏め処理を行う纏め処理部と、を備え、前記収納繰出部の貨幣の前記纏め処理部への繰出処理及び前記纏め処理部の纏め処理と、前記入金部から前記収納部への貨幣の収納処理とが並行処理可能であり、前記制御部は、前記並行処理中に、前記貨幣処理部及び前記纏め処理部の一方の処理が停止しても、他方の処理を継続して行うことを特徴とする。
【００２１】
上記第８の態様によれば、制御部は、収納繰出部の貨幣の纏め処理部への繰出処理及び纏め処理部の纏め処理と、入金部から収納部への貨幣の収納処理との並行処理中に、貨幣処理部及び纏め処理部の一方の処理が停止しても、他方の処理を継続して行うことになる。よって、並行処理中に貨幣処理部及び纏め処理部の一方の処理が停止しても、他方の処理を続けることができる。
【発明の効果】
【００２２】
本発明によれば、収納部の回収作業の手間を軽減可能となる貨幣処理装置を提供することができる。
【図面の簡単な説明】
【００２３】
【図１】本発明に係る貨幣処理装置の第１実施形態である硬貨処理装置の構成を概略的に示す正面図である。
【図２】本発明に係る貨幣処理装置の第１実施形態である硬貨処理装置の斜視図である。
【図３】本発明に係る貨幣処理装置の第１実施形態である硬貨処理装置の要部の斜視図であって、入金貯留部本体及び底板が共に装填位置にある入金貯留部の受け入れ状態を示すものである。
【図４】本発明に係る貨幣処理装置の第１実施形態である硬貨処理装置の要部の斜視図であって、入金貯留部本体及び底板が共に装填位置にある入金貯留部の受け入れ状態を示すものである。
【図５】本発明に係る貨幣処理装置の第１実施形態である硬貨処理装置の要部の斜視図であって、入金貯留部本体が収納位置にあり、底板が装填位置にある入金貯留部の収納部収納状態を示すものである。
【図６】本発明に係る貨幣処理装置の第１実施形態である硬貨処理装置の要部の斜視図であって、入金貯留部本体が返却位置にあり、底板が収納位置にある入金貯留部の返却状態を示すものである。
【図７】本発明に係る貨幣処理装置の第１実施形態である硬貨処理装置の要部の斜視図であって、入金貯留部本体が装填位置にあり、底板が収納位置にある入金貯留部の収納繰出部等収納状態を示すものである。
【図８】本発明に係る貨幣処理装置の第１実施形態である硬貨処理装置のベース筐体から引き出された状態にある出金繰出引出部を示す部分斜視図である。
【図９】本発明に係る貨幣処理装置の第１実施形態である硬貨処理装置のベース筐体から引き出された状態にある収納引出部を示す部分斜視図である。
【図１０】本発明に係る貨幣処理装置の第１実施形態である硬貨処理装置の収納引出部から収納カセットが引き出された状態を示す部分斜視図である。
【図１１】本発明に係る貨幣処理装置の第１実施形態である硬貨処理装置の収納カセットの分解斜視図である。
【図１２】本発明に係る貨幣処理装置の第１実施形態である硬貨処理装置の収納カセットの開放状態を示す斜視図である。
【図１３】本発明に係る貨幣処理装置の第１実施形態である硬貨処理装置の収納引出部及び開放状態にある収納カセットを示す断面図である。
【図１４】本発明に係る貨幣処理装置の第１実施形態である硬貨処理装置の収納引出部及び開閉途中の状態にある収納カセットを示す断面図である。
【図１５】本発明に係る貨幣処理装置の第１実施形態である硬貨処理装置の収納引出部及び閉塞状態にある収納カセットを示す断面図である。
【図１６】本発明に係る貨幣処理装置の第１実施形態である硬貨処理装置の収納カセットの閉塞状態を示す斜視図である。
【図１７】本発明に係る貨幣処理装置の第１実施形態である硬貨処理装置の変形例３のシュート等を示す斜視図である。
【図１８】本発明に係る貨幣処理装置の第１実施形態である硬貨処理装置の変形例３のシュート及び収納体等を示す斜視図である。
【図１９】本発明に係る貨幣処理装置の第１実施形態である硬貨処理装置の変形例５の収納箱を示す斜視図である。
【図２０】本発明に係る貨幣処理装置の第１実施形態である硬貨処理装置の変形例６の収納袋を示す斜視図である。
【図２１】本発明に係る貨幣処理装置の第１実施形態である硬貨処理装置の変形例７の収納部側開口部へのセンサの配置を示す平面図である。
【発明を実施するための形態】
【００２４】
＜第１実施形態＞
本発明に係る貨幣処理装置の第１実施形態である硬貨処理装置を図面を参照して以下に説明する。硬貨処理装置は紙幣及び硬貨からなる貨幣のうちの硬貨を処理するものである。なお、本発明は、貨幣処理装置として貨幣のうちの紙幣を処理する紙幣処理装置にも適用可能である。以下の説明における「前」は硬貨処理装置の操作者側、「後」は硬貨処理装置の操作者とは反対側、「左」は硬貨処理装置の操作者から見て左、「右」は硬貨処理装置の操作者から見て右である。
【００２５】
第１実施形態の硬貨処理装置１０は、図１に示すように、バラの硬貨（以下、硬貨と称す）に関する処理を行う硬貨処理部１１（貨幣処理部）と、棒金（包装硬貨）に関する処理を行う棒金処理部１２（纏め処理部）とを有している。硬貨処理部１１には、硬貨処理装置１０の全体を制御する制御部１４１と、硬貨処理装置１０に電源を供給する電源部１４２とが設けられている。棒金処理部１２は、硬貨を所定枚数ずつ纏め、包装紙で一体化して棒金とする纏め処理としての包装処理を行う。
【００２６】
［硬貨処理部１１］
硬貨処理部１１は、硬貨処理装置１０外から硬貨が入金され、入金された硬貨の入金処理を行う硬貨入金処理部２１と、硬貨入金処理部２１から硬貨を受け入れて収納する収納処理を行うと共に収納している硬貨を外部に取り出し可能に出金する硬貨収納出金処理部２２とを有している。
【００２７】
硬貨入金処理部２１は、図２に示すように開閉可能なシャッタ３０を有すると共にシャッタ３０が開かれた状態で硬貨処理装置１０外から硬貨が投入されると共に投入された硬貨を一枚ずつ分離して繰り出すホッパである入金部３１を有している。図１に示すように、硬貨入金処理部２１は、入金部３１に入金され、入金部３１から繰り出された硬貨を搬送しつつ入金識別計数部３２で真偽、金種及び正損を識別して計数する入金搬送部３３と、入金識別計数部３２で偽つまり受け入れ不可と識別された硬貨を入金搬送部３３から落下案内する開閉式の入金リジェクト案内部３４と、入金リジェクト案内部３４で入金搬送部３３から案内された硬貨を収納する入金リジェクト部３５とを有している。
【００２８】
入金リジェクト部３５は、箱状であって、図２に示す硬貨処理装置１０の装置本体４１の上部ユニット４２から前方に引き出されて上部ユニット４２から取り外される。ここで、上部ユニット４２は、装置本体４１の建屋フロアに設置されるベース筐体４３に対し前方に引き出し可能に連結されている。入金リジェクト部３５は、ベース筐体４３に対し押し込まれた上部ユニット４２に装填された状態で、図１に示す入金リジェクト案内部３４で案内された硬貨を収納し、上部ユニット４２から取り外されることで、収納した硬貨が外部に取り出し可能となる。
【００２９】
硬貨入金処理部２１は、入金識別計数部３２で真つまり受け入れ可能と識別された硬貨を入金搬送部３３から落下案内する開閉式の包装案内部５５を有している。包装案内部５５で案内された硬貨は棒金処理部１２に搬送される。ここで、入金部３１に投入された硬貨の中から、設定金種の硬貨を包装して棒金とするローカル包装処理時に、包装案内部５５が、入金識別計数部３２の識別結果に基づいて、設定金種の硬貨を棒金処理部１２に案内し、設定金種以外の硬貨を入金リジェクト案内部３４が入金リジェクト部３５に案内する。棒金処理部１２は、硬貨処理部１１から送り込まれた硬貨を所定の包装単位枚数（例えば５０枚）ずつ集積させて包装する。
【００３０】
硬貨入金処理部２１は、入金識別計数部３２で受け入れ可能と識別された硬貨を入金搬送部３３から落下案内する貯留案内部６１と、貯留案内部６１で入金搬送部３３から案内された硬貨を一時貯留する入金貯留部６２とを有している。図３に示すように、入金貯留部６２は、単一金種の硬貨を貯留する金種別の貯留区分部６３ａ〜６３ｆと、汚損硬貨を金種混合で貯留する汚損硬貨用の貯留区分部６３ｇとを有している。入金貯留部６２は、図１に示す入金部３１に入金された硬貨を入金識別計数部３２での識別後に貯留する。制御部１４１は、入金識別計数部３２の識別結果から、図３に示す貯留区分部６３ａ〜６３ｇのそれぞれに貯留している硬貨の金種別の硬貨量、即ち枚数データを把握している。
【００３１】
図１に示す貯留案内部６１は、入金搬送部３３の前後方向に沿う直線状の部分に設けられており、最も包装案内部５５側の部分が開閉式で全金種の汚損硬貨を入金搬送部３３から落下させて入金貯留部６２に案内することになり、その包装案内部５５とは反対側の部分が常時開の選別孔式であって汚損のない正常硬貨を小径のものから順に入金搬送部３３から落下させて入金貯留部６２に案内する。
【００３２】
貯留案内部６１の上記の振り分けの順番に合わせて、入金貯留部６２は、図３に示すように、汚損硬貨を貯留する貯留区分部６３ｇ、１円の正常硬貨を貯留する貯留区分部６３ａ、５０円の正常硬貨を貯留する貯留区分部６３ｂ、５円の正常硬貨を貯留する貯留区分部６３ｃ、１００円の正常硬貨を貯留する貯留区分部６３ｄ、１０円の正常硬貨を貯留する貯留区分部６３ｅ、５００円の正常硬貨を貯留する貯留区分部６３ｆが、前側から後側に向けて、この順に直線状に並べられている。
【００３３】
入金貯留部６２は、貯留区分部６３ａ〜６３ｇの側壁部分を形成する一体の入金貯留部本体６４と、貯留区分部６３ａ〜６３ｇの底部分を形成する底板６５と、入金貯留部本体６４を水平移動させる図示略の本体駆動部と、底板６５を水平移動させる図示略の底板駆動部と、図４に示すように、入金貯留部本体６４と底板６５との位置ズレを防止するロック機構５０１とを有している。入金貯留部６２は、図１に示す貯留案内部６１の鉛直下方が装填位置であり、図３に示すように、この装填位置に入金貯留部本体６４及び底板６５が位置する受け入れ状態で、貯留案内部６１で案内された硬貨を貯留区分部６３ａ〜６３ｇに分類して受け入れる。つまり、入金貯留部６２は、入金部３１に入金された正常硬貨を、金種別の貯留区分部６３ａ〜６３ｆに金種別に分けて貯留すると共に、汚損硬貨を貯留区分部６３ｇに貯留する。
【００３４】
図４に示すように、ロック機構５０１は、入金貯留部本体６４に対しその下部開口部を閉塞する位置で底板６５をロックする。ロック機構５０１は、入金貯留部本体６４に取り付けられたソレノイド５０２と、ソレノイド５０２に取り付けられた略Ｌ字状の板部材５０３と、入金貯留部本体６４に固定された検出部５０４と、底板６５に固定された係合部５０５とを有している。ソレノイド５０２は、入金貯留部本体６４に固定されるソレノイドボディ５１０とソレノイドボディ５１０から下方に突出する図示略のプランジャとを有している。板部材５０３は、このプランジャの下端に固定される取付板部５１５と、取付板部５１５から下方に延出する係合板部５１６と、取付板部５１５から係合板部５１６と平行に係合板部５１６よりも短く突出する検出板部５１７とを有している。係合部５０５は、上部に下方に凹む係合凹部５２０を有しており、ソレノイド５０２が板部材５０３を下降させると、板部材５０３の係合板部５１６が係合凹部５２０に係合して、入金貯留部本体６４と底板６５とをロックする。その際に、板部材５０３の検出板部５１７がインタラプタ等の検出部５０４に検出されることで、ロック有りを検出する。ソレノイド５０２が板部材５０３を上昇させると、板部材５０３の係合板部５１６が係合凹部５２０から抜け出して、入金貯留部本体６４と底板６５とのロックを解除する。その際に、板部材５０３の検出板部５１７が検出部５０４に検出されなくなることで、ロック無しを検出する。
【００３５】
図３に示すように、硬貨入金処理部２１は、入金貯留部６２が貯留区分部６３ａ〜６３ｇに分類して貯留している硬貨を収納する硬貨収納部７１を有している。硬貨収納部７１は、図５に示すように、入金貯留部６２がロック機構５０１を解除して底板６５を装填位置に保持した状態のまま入金貯留部本体６４を側方の収納位置に移動させる収納部収納状態となることで貯留区分部６３ａ〜６３ｇから落下する硬貨を、その分類状態のままで収納する。
【００３６】
硬貨収納部７１は、貯留区分部６３ｇから落下する汚損硬貨を収納する汚損硬貨収納箱８２ｇ、貯留区分部６３ａから落下する１円の正常硬貨を収納する図３に示す収納カセット７１ａ（収納部，収納庫）、貯留区分部６３ｂから落下する５０円の正常硬貨を収納する収納カセット７１ｂ（収納部，収納庫）、貯留区分部６３ｃから落下する５円の正常硬貨を収納する収納カセット７１ｃ（収納部，収納庫）、貯留区分部６３ｄから落下する１００円の正常硬貨を収納する収納カセット７１ｄ（収納部，収納庫）、貯留区分部６３ｅから落下する１０円の正常硬貨を収納する収納カセット７１ｅ（収納部，収納庫）、貯留区分部６３ｆから落下する５００円の正常硬貨を収納する収納カセット７１ｆ（収納部，収納庫）が、前側から後側に向けて、この順に直線状に並べられている。
【００３７】
収納カセット７１ａ〜７１ｆ及び汚損硬貨収納箱８２ｇは、図１に示す入金部３１に入金された硬貨を、入金識別計数部３２での識別後、入金貯留部６２を介して収納する。制御部１４１は、入金識別計数部３２の識別結果から、入金貯留部６２の図３に示す貯留区分部６３ａ〜６３ｇのそれぞれに貯留する金種別の硬貨量を把握しており、よって、この入金貯留部６２から硬貨を受け入れる、硬貨収納部７１の収納カセット７１ａ〜７１ｆ及び汚損硬貨収納箱８２ｇに収納している硬貨の金種別の硬貨量も把握している。
【００３８】
収納カセット７１ａ〜７１ｆ及び汚損硬貨収納箱８２ｇには、それぞれ、収納している硬貨が満杯状態にあることを検知する図示略の満杯検知センサが個別に設けられている。収納カセット７１ａ〜７１ｆ及び汚損硬貨収納箱８２ｇの何れに設けられた満杯検知センサも、光学センサであり、収納カセット７１ａ〜７１ｆ及び汚損硬貨収納箱８２ｇの対応するものに収納されている硬貨が満杯状態と判定できる高さに積み上がったときに、それまでの透光状態から、収納されている硬貨で遮光される状態になり、この透光状態から遮光状態への変化で、収納している硬貨が満杯状態になったことを検知する。
【００３９】
硬貨収納部７１を構成する収納カセット７１ａ〜７１ｆは、それぞれが箱状であって、図２に示すベース筐体４３に対し前方に引き出し可能となるように連結された収納引出部７２に個別に着脱可能に装填されている。収納引出部７２は、ベース筐体４３と共に装置本体４１を構成している。図３に示す収納カセット７１ａ〜７１ｆは、収納引出部７２に装填された後、この収納引出部７２がベース筐体４３に押し込まれると、入金貯留部６２から落下する硬貨を収納可能となる。また、収納カセット７１ａ〜７１ｆは、ベース筐体４３から収納引出部７２が引き出された後、この収納引出部７２から取り外されることで、収納した硬貨が外部に取り出し可能となる。即ち、収納カセット７１ａ〜７１ｆは、収納引出部７２を含む装置本体４１から取り出し可能となっており、装置本体４１は、引き出されることで収納カセット７１ａ〜７１ｆが取り出し可能となる収納引出部７２を有している。ここで、硬貨収納部７１を構成する収納カセット７１ａ〜７１ｆは、収納引出部７２に装填され、収納引出部７２と共にベース筐体４３に装填された状態、つまり硬貨処理装置１０の内部に装填された状態では、硬貨を繰り出すことはなく硬貨の収納のみを行う。収納カセット７１ａ〜７１ｆと共に硬貨収納部７１を構成する汚損硬貨収納箱８２ｇも、硬貨を繰り出すことはなく、よって、硬貨収納部７１は硬貨を繰り出し不可に収納する。
【００４０】
硬貨入金処理部２１は、入金貯留部６２が貯留区分部６３ａ〜６３ｇに分類して貯留している硬貨を外部に取り出し可能に返却する硬貨返却部７５を有している。硬貨返却部７５は、図６に示すように、入金貯留部６２が底板６５及び入金貯留部本体６４を収納位置に移動させた後にロック機構５０１を解除して入金貯留部本体６４のみをさらに側方の返却位置に移動させる返却状態となることで貯留区分部６３ａ〜６３ｇから落下する硬貨を、その分類状態のままで収納する。
【００４１】
硬貨返却部７５は、貯留区分部６３ｇから落下する汚損硬貨を収納する図３に示す返却区分部７５ｇ、貯留区分部６３ａから落下する１円の正常硬貨を収納する返却区分部７５ａ、貯留区分部６３ｂから落下する５０円の正常硬貨を収納する返却区分部７５ｂ、貯留区分部６３ｃから落下する５円の正常硬貨を収納する返却区分部７５ｃ、貯留区分部６３ｄから落下する１００円の正常硬貨を収納する返却区分部７５ｄ、貯留区分部６３ｅから落下する１０円の正常硬貨を収納する返却区分部７５ｅ、貯留区分部６３ｆから落下する５００円の正常硬貨を収納する返却区分部７５ｆが、前側から後側に向けて、この順に直線状に並べられている。
【００４２】
硬貨返却部７５は、箱状であって返却区分部７５ａ〜７５ｇが一体に設けられている。硬貨返却部７５は、図２に示すベース筐体４３から前方に引き出されてベース筐体４３から取り外される。硬貨返却部７５は、ベース筐体４３に装填された状態で入金貯留部６２からの硬貨を収納し、ベース筐体４３から取り外されることで、収納した硬貨が外部に取り出し可能となる。ここで、硬貨返却部７５も、ベース筐体４３に装填された状態では硬貨を繰り出すことはなく収納のみを行う。なお、硬貨返却部７５は、硬貨を金種別に分類せずに、金種混合で一括して収納するものであっても良い。
【００４３】
図３に示す硬貨収納出金処理部２２は、入金貯留部６２が貯留区分部６３ａ〜６３ｆに分類して貯留している硬貨を出金可能に収納する硬貨収納繰出部８１（収納繰出部）を有している。硬貨収納繰出部８１は、図７に示すように、入金貯留部６２がロック機構５０１を解除して入金貯留部本体６４を装填位置に保持した状態のまま底板６５を側方の収納位置に移動させる収納繰出部等収納状態となることで貯留区分部６３ａ〜６３ｆから落下する硬貨を、その分類状態のままで出金可能に収納する。硬貨収納繰出部８１は、入金部３１に入金された硬貨を、入金識別計数部３２での識別後に、入金貯留部６２を介して収納すると共に、収納した硬貨を繰り出す。
【００４４】
硬貨収納繰出部８１は、貯留区分部６３ａから落下する１円の正常硬貨を出金可能に収納する出金ホッパ８１ａ、貯留区分部６３ｂから落下する５０円の正常硬貨を出金可能に収納する出金ホッパ８１ｂ、貯留区分部６３ｃから落下する５円の正常硬貨を出金可能に収納する出金ホッパ８１ｃ、貯留区分部６３ｄから落下する１００円の正常硬貨を出金可能に収納する出金ホッパ８１ｄ、貯留区分部６３ｅから落下する１０円の正常硬貨を出金可能に収納する出金ホッパ８１ｅ、貯留区分部６３ｆから落下する５００円の正常硬貨を出金可能に収納する出金ホッパ８１ｆが、前側から後側に向けて、この順に直線状に並べられている。
【００４５】
よって、硬貨収納繰出部８１は、それぞれが単一金種の硬貨を繰り出し可能に収納する金種別の出金ホッパ８１ａ〜８１ｆを有しており、入金貯留部６２は、入金部３１に入金されて金種別の貯留区分部６３ａ〜６３ｆに金種別に分けて貯留している硬貨を金種別に分けた状態のまま硬貨収納繰出部８１の金種別の出金ホッパ８１ａ〜８１ｆに収納可能となっている。出金ホッパ８１ａ〜８１ｆには、それぞれ、収納している硬貨が満杯状態にあることを検知する図示略の満杯検知センサが設けられている。出金ホッパ８１ａ〜８１ｆの満杯検知センサも、収納カセット７１ａ〜７１ｆ及び汚損硬貨収納箱８２ｇの満杯検知センサと同様にして満杯を検知する。
【００４６】
出金ホッパ８１ａの出金ホッパ８１ｂとは反対側には、入金貯留部６２が入金貯留部本体６４を装填位置に保持した状態のまま底板６５を側方の収納位置に移動させる収納繰出部等収納状態になることで貯留区分部６３ｇから落下する汚損硬貨を収納する上記した汚損硬貨収納箱８２ｇが設けられており、出金ホッパ８１ｆの出金ホッパ８１ｅとは反対側には精査ホッパ８３ｈが設けられている。
【００４７】
入金貯留部６２は、入金部３１に入金された硬貨を、入金識別計数部３２での識別後に一時貯留すると共に、貯留区分部６３ａ〜６３ｆに一時貯留している硬貨を、硬貨収納繰出部８１の出金ホッパ８１ａ〜８１ｆと、硬貨収納部７１の収納カセット７１ａ〜７１ｆとに振り分け、これら何れへの振り分け時も貯留区分部６３ｇに一時貯留している硬貨を、共通の汚損硬貨収納箱８２ｇに収納する。
【００４８】
硬貨収納繰出部８１を構成する出金ホッパ８１ａ〜８１ｆと、精査ホッパ８３ｈとは、図８に示すように、ベース筐体４３に対し前方に引き出し可能となるように連結された出金繰出引出部８５に組み込まれている。汚損硬貨収納箱８２ｇは、ベース筐体４３と共に装置本体４１を構成する出金繰出引出部８５に対し、着脱可能に設けられている。出金繰出引出部８５に組み込まれた出金ホッパ８１ａ〜８１ｆ及び出金繰出引出部８５に装着された状態の汚損硬貨収納箱８２ｇは、出金繰出引出部８５がベース筐体４３に押し込まれると、ベース筐体４３に押し込まれた状態の上部ユニット４２に設けられた入金貯留部６２の貯留区分部６３ａ〜６３ｇから落下する硬貨を収納可能となる。
【００４９】
出金ホッパ８１ａは、図７に示すように、収納している硬貨を下部の計数繰出部９１ａで金種を識別せず計数のみを行って繰り出し、出金ホッパ８１ｂは、収納している硬貨を下部の計数繰出部９１ｂで同様に繰り出し、出金ホッパ８１ｃは、収納している硬貨を下部の計数繰出部９１ｃで同様に繰り出し、出金ホッパ８１ｄは、収納している硬貨を下部の計数繰出部９１ｄで同様に繰り出し、出金ホッパ８１ｅは、収納している硬貨を下部の計数繰出部９１ｅで同様に繰り出し、出金ホッパ８１ｆは、収納している硬貨を下部の計数繰出部９１ｆで同様に繰り出す。精査ホッパ８３ｈは、収納している硬貨を下部の識別計数繰出部９３ｈで金種を識別し計数して繰り出す。
【００５０】
制御部１４１は、入金識別計数部３２の識別結果から、入金貯留部６２の貯留区分部６３ａ〜６３ｇのそれぞれに貯留する硬貨の金種別の硬貨量を把握しており、また、硬貨収納繰出部８１の出金ホッパ８１ａ〜８１ｆのそれぞれから計数しつつ繰り出す硬貨の硬貨量を把握しているため、出金ホッパ８１ａ〜８１ｆに収納している硬貨の金種別の硬貨量を把握している。
【００５１】
出金ホッパ８１ａ〜８１ｆを有する硬貨収納繰出部８１は、硬貨を収納すると共に、収納している硬貨を繰り出す。収納カセット７１ａ〜７１ｆを有する硬貨収納部７１は、硬貨収納繰出部８１とは別に設けられて硬貨を収納する。入金貯留部６２は、硬貨を貯留すると共に貯留している硬貨の収納先を硬貨収納繰出部８１と硬貨収納部７１と硬貨返却部７５とに選択的に切り替える。入金貯留部６２は、収納先を硬貨収納繰出部８１とした場合に、貯留している硬貨を金種別に分けて金種別の出金ホッパ８１ａ〜８１ｆに収納する。
【００５２】
汚損硬貨収納箱８２ｇは、図８に示す出金繰出引出部８５に着脱可能に設けられている。汚損硬貨収納箱８２ｇは、出金繰出引出部８５に装填された後、この出金繰出引出部８５がベース筐体４３に押し込まれると、入金貯留部６２の貯留区分部６３ｇから落下する硬貨を収納可能となる。また、汚損硬貨収納箱８２ｇは、ベース筐体４３から出金繰出引出部８５が引き出された後、この出金繰出引出部８５から取り外されることで、収納した硬貨が外部に取り出し可能となる。
【００５３】
硬貨収納出金処理部２２は、図１に示すように、硬貨収納繰出部８１の出金ホッパ８１ａ〜８１ｆ及び精査ホッパ８３ｈから計数しつつ繰り出された硬貨を搬送しつつ金種を識別して計数する硬貨出金搬送部１０１と、硬貨出金搬送部１０１で搬送されてきた硬貨を収納する硬貨出金部１０２（出金部）と、硬貨出金部１０２に収納されている硬貨を案内する出金リジェクト案内部１０３と、出金リジェクト案内部１０３で硬貨出金部１０２から案内された硬貨を収納する出金リジェクト部１０４とを有している。
【００５４】
硬貨出金部１０２は、箱状であって、図２に示す装置本体４１の収納引出部７２から前方に引き出されて収納引出部７２から取り外される。硬貨出金部１０２は、ベース筐体４３に対し押し込まれた収納引出部７２に装填された状態で、装置本体４１の硬貨収納繰出部８１から繰り出された硬貨を受け入れて収納し、収納引出部７２から取り外されることで、収納した硬貨が外部に取り出し可能となる。即ち、硬貨出金部１０２は、収納引出部７２を含む装置本体４１から取り外し可能とされ、硬貨収納繰出部８１から繰り出された硬貨を受け入れる。
【００５５】
出金リジェクト部１０４は、箱状であって、収納引出部７２から前方に引き出されて収納引出部７２から取り外される。出金リジェクト部１０４は、ベース筐体４３に対し押し込まれた収納引出部７２に装填された状態で、出金リジェクト案内部１０３で硬貨出金部１０２から案内された硬貨を収納し、収納引出部７２から取り外されることで、収納した硬貨が外部に取り出し可能となる。即ち、出金リジェクト部１０４は、収納引出部７２を含む装置本体４１から取り外し可能とされ、硬貨収納繰出部８１から繰り出された硬貨を硬貨出金部１０２を介して受け入れる。
【００５６】
図３に示すように、出金ホッパ８１ａ〜８１ｆの計数繰出部９１ａ〜９１ｆ及び精査ホッパ８３ｈの識別計数繰出部９３ｈは前後方向に直線状に並んで配置されており、これらの硬貨繰り出し方向の前方に、硬貨出金搬送部１０１を構成する繰出側搬送路１１１が設けられている。また、硬貨出金搬送部１０１は、この繰出側搬送路１１１の精査ホッパ８３ｈとは反対側の端部から硬貨を受け取って、繰出側搬送路１１１に垂直な左右方向に搬送する出金側搬送路１１２を有している。この出金側搬送路１１２は、繰出側搬送路１１１から汚損硬貨収納箱８２ｇの方向に延びている。
【００５７】
硬貨出金搬送部１０１は、出金側搬送路１１２の繰出側搬送路１１１とは反対側の端部に、出金側搬送路１１２で搬送中の硬貨の重なりを崩すローラ１１３を有しており、出金側搬送路１１２の繰出側搬送路１１１とは反対側に、出金側搬送路１１２とローラ１１３との間を通過して出金側搬送路１１２から一枚ずつ繰り出される硬貨を金種識別を行って計数する出金識別計数部１１４を有している。この出金識別計数部１１４の識別結果に基づいて、硬貨出金部１０２に硬貨を収納させたり、硬貨出金部１０２の硬貨をさらに出金リジェクト案内部１０３で出金リジェクト部１０４に収納させたりする。
【００５８】
出金側搬送路１１２と汚損硬貨収納箱８２ｇとの間には、出金側搬送路１１２と平行に戻入下搬送路１２１が設けられており、出金側搬送路１１２と戻入下搬送路１２１との間には、出金側搬送路１１２で繰出側搬送路１１１から出金識別計数部１１４に向けて搬送中の硬貨を、出金側搬送路１１２側に揺動することで戻入下搬送路１２１に移動させる揺動可能な精査ゲート１２２が設けられている。戻入下搬送路１２１には硬貨の残留を検出する図示略の戻入下残留検知センサが設けられている。戻入下搬送路１２１の上側には、戻入下搬送路１２１で搬送されてきた硬貨を上方に搬送する戻入縦搬送路１２３が設けられている。戻入縦搬送路１２３には末端位置に硬貨を計数する図示略の戻入縦計数センサが設けられている。この計数センサは硬貨の金種識別は行わずに計数のみを行う。
【００５９】
繰出側搬送路１１１の上方には、これと平行に戻入上搬送路１２５が設けられており、戻入上搬送路１２５は戻入縦搬送路１２３から硬貨を受け取って搬送する。戻入上搬送路１２５の出金ホッパ８１ａ〜８１ｆとは反対側には、戻入上搬送路１２５で搬送中の硬貨を出金ホッパ８１ａ〜８１ｆ及び精査ホッパ８３ｈに振り分ける揺動可能な戻入ゲート１２６ａ〜１２６ｆが設けられている。
【００６０】
戻入ゲート１２６ａは出金ホッパ８１ａ側に揺動することで硬貨を出金ホッパ８１ａに収納し、戻入ゲート１２６ｂは出金ホッパ８１ｂ側に揺動することで硬貨を出金ホッパ８１ｂに収納し、戻入ゲート１２６ｃは出金ホッパ８１ｃ側に揺動することで硬貨を出金ホッパ８１ｃに収納し、戻入ゲート１２６ｄは出金ホッパ８１ｄ側に揺動することで硬貨を出金ホッパ８１ｄに収納し、戻入ゲート１２６ｅは出金ホッパ８１ｅ側に揺動することで硬貨を出金ホッパ８１ｅに収納し、戻入ゲート１２６ｆは出金ホッパ８１ｆ側に揺動することで硬貨を出金ホッパ８１ｆに収納する。戻入上搬送路１２５は、戻入ゲート１２６ａ〜１２６ｆで出金ホッパ８１ａ〜８１ｆに収納されなかった硬貨を末端位置から精査ホッパ８３ｈに収納する。戻入上搬送路１２５には硬貨の残留を検出する図示略の戻入上残留検知センサが設けられている。
【００６１】
ここで、出金ホッパ８１ａ〜８１ｆの硬貨量を精査する精査処理時には、例えば、出金ホッパ８１ａの硬貨を、計数繰出部９１ａで繰出側搬送路１１１に繰り出して、繰出側搬送路１１１及び出金側搬送路１１２で搬送し、精査ゲート１２２で出金側搬送路１１２から戻入下搬送路１２１に移動させて、戻入下搬送路１２１、戻入縦搬送路１２３及び戻入上搬送路１２５で精査ホッパ８３ｈに収納させる。このようにして、出金ホッパ８１ａに収納されていた硬貨を全て精査ホッパ８３ｈに移動させて出金ホッパ８１ａを空にする。この時、在高枚数と計数繰出部９１ａの計数枚数が一致した後、所定の時間出金ホッパ８１ａを駆動し計数繰出部９１ａに到達する硬貨が無いことで空と判断する。或いは、出金ホッパ８１ａ内に図示略の出金ホッパ残留検知センサを設け、これの硬貨反応が無くなることで空と判断する。また、搬送路上に硬貨が残留していないことの確認は、計数繰出部９１ａの計数枚数と図示略の戻入縦計数センサとの計数枚数の一致確認と、搬送路を正逆転しながら図示略の戻入下残留検知センサと図示略の戻入上残留検知センサとの両方に硬貨反応が無いことにより判断する。
【００６２】
その後、精査ホッパ８３ｈから硬貨を識別計数繰出部９３ｈで識別しつつ計数して繰出側搬送路１１１に繰り出して、繰出側搬送路１１１及び出金側搬送路１１２で搬送し、精査ゲート１２２で出金側搬送路１１２から戻入下搬送路１２１に移動させて、戻入下搬送路１２１、戻入縦搬送路１２３及び戻入上搬送路１２５で搬送し、戻入ゲート１２６ａで出金ホッパ８１ａに戻し精査ホッパ８３ｈを空にする。この時、在高データと識別計数繰出部９３ｈの硬貨データ（枚数と金種）の一致を確認し、所定の時間、精査ホッパ８３ｈを駆動し識別計数繰出部９３ｈに到達する効果が無いことで空と判断する。或いは、精査ホッパ８３ｈ内に図示略の精査ホッパ残留検知センサを設け、これの硬貨反応が無くなることで空と判断する。また、搬送路上に硬貨が残留していないことの確認は、計数繰出部９１ａの計数枚数と図示略の戻入縦計数センサとの計数枚数の一致確認と、搬送路を正逆転しながら図示略の戻入下残留検知センサと図示略の戻入上残留検知センサとの両方に硬貨反応が無いことにより判断する。
【００６３】
これにより、出金ホッパ８１ａ内の硬貨データ（枚数と金種）を確定する。出金ホッパ８１ｂ〜８１ｆについても同様にして硬貨データ（枚数と金種）を確定する。出金ホッパ８１ａの精査時において、精査ホッパ８３ｈから硬貨を繰り出している時に、異金種が繰り出された場合は、繰出側搬送路１１１のみを停止して、出金側搬送路１１２、戻入下搬送路１２１、戻入縦搬送路１２３及び戻入上搬送路１２５上の硬貨は全て８１ａ内へ移送する。その後、精査ゲート１２２を出金識別計数部１１４に搬送する状態に移動し、繰出側搬送路１１１を駆動させることで繰出側搬送路１１１上の硬貨を全て硬貨出金部１０２経由で出金リジェクト部１０４へ収納する。更にその後、精査ゲート１２２を戻入下搬送路１２１側へ切り替え精査処理を継続する。出金ホッパ８１ｂ〜８１ｆについても同様である。
【００６４】
繰出側搬送路１１１の中間位置には、小径側の３金種の硬貨を収納する出金ホッパ８１ａ〜８１ｃから計数繰出部９１ａ〜９１ｃで繰り出されて繰出側搬送路１１１で搬送される硬貨を、硬貨収納繰出部８１側に揺動することで図１に示す棒金処理部１２側に繰り出す小径側中間ゲート１３１と、大径側の３金種の硬貨を収納する出金ホッパ８１ｄ〜８１ｆから計数繰出部９１ｄ〜９１ｆで繰り出されて繰出側搬送路１１１で搬送される硬貨を、硬貨収納繰出部８１側に揺動することで棒金処理部１２側に繰り出す大径側中間ゲート１３２とが設けられている。大径側中間ゲート１３２は、精査ホッパ８３ｈから識別計数繰出部９３ｈで繰り出されて繰出側搬送路１１１で搬送される硬貨を、硬貨収納繰出部８１側に揺動することで棒金処理部１２側に繰り出す。
【００６５】
［棒金処理部１２］
棒金処理部１２は、図１に示すように、硬貨収納出金処理部２２の硬貨収納繰出部８１から繰り出された硬貨を受け入れて所定枚数ずつ纏めて包装紙で包装し一体化して棒金とする纏め処理としての包装処理を行う包装部２０１と、包装部２０１で作製した棒金を収納する棒金収納部２０２と、包装部２０１及び棒金収納部２０２から棒金を受け入れて外部に取り出し可能に出金する棒金出金部２０３とを有している。
【００６６】
包装部２０１は、硬貨収納出金処理部２２の出金ホッパ８１ａ〜８１ｆの何れか一金種用の出金ホッパから計数繰出部９１ａ〜９１ｆの対応するもので繰り出され、繰出側搬送路１１１と、小径側中間ゲート１３１或いは大径側中間ゲート１３２とで棒金処理部１２に搬送されてきた硬貨を受け取って包装する。また、包装部２０１は、精査ホッパ８３ｈから識別計数繰出部９３ｈで繰り出され、繰出側搬送路１１１と大径側中間ゲート１３２とで棒金処理部１２に搬送されてきた硬貨を受け取って包装する。また、包装部２０１は、入金部３１から繰り出され、包装案内部５５で棒金処理部１２に案内されてきた硬貨を受け取って包装する。
【００６７】
ここで、硬貨処理装置１０は、出金ホッパ８１ａ〜８１ｆの何れかの硬貨量が所定量であるニアフル値を超えると、自動包装処理を行うことになる。この自動包装処理では、出金ホッパ８１ａ〜８１ｆのうちの硬貨量がニアフル値を超えたものから計数繰出部９１ａ〜９１ｆの対応するもので硬貨を繰り出す繰出処理を行い、この繰出処理で繰り出され、繰出側搬送路１１１と、小径側中間ゲート１３１或いは大径側中間ゲート１３２とで棒金処理部１２に搬送されてきた硬貨を包装部２０１で受け取って包装する。
【００６８】
また、硬貨処理装置１０は、入金部３１に投入された硬貨を包装するローカル包装処理において、入金部３１に投入された硬貨から指定された金種以外の硬貨を入金リジェクト案内部３４で入金リジェクト部３５に案内する一方、指定された金種の硬貨を包装案内部５５で棒金処理部１２に案内することになり、包装部２０１は、このように包装案内部５５で案内された硬貨を受け取って包装する。
【００６９】
包装部２０１は、棒金処理部１２における硬貨処理部１１側にあって、硬貨処理部１１から硬貨を受け入れると共に、受け入れた硬貨を、金種識別しつつ計数して包装単位枚数（５０枚）ずつ繰り出す硬貨識別計数部２１１と、硬貨識別計数部２１１から繰り出された包装単位枚数の硬貨を集積させて紙或いは樹脂フィルムからなる包装紙を巻き回し、この包装紙を切断した後、集積方向に両側の包装紙の余長部分を内側に丸めるように加締めることにより棒金とする硬貨集積包装部２１２とを有している。
【００７０】
包装部２０１は、硬貨集積包装部２１２で作製されて下方に繰り出された棒金を３方向に振り分けて搬送する棒金振分搬送部２１３と、棒金振分搬送部２１３で第１の方向に振り分けられた棒金を収納する自動時端数棒金収納部２１４と、棒金振分搬送部２１３で第２の方向に振り分けられた棒金を収納するローカル時端数棒金収納部２１５とを有している。自動時端数棒金収納部２１４は、自動包装処理において、包装単位枚数に満たない数の硬貨を包装した端数棒金を収納することになり、ローカル時端数棒金収納部２１５は、ローカル包装処理において、包装単位枚数に満たない数の硬貨を包装した端数棒金を収納することになる。
【００７１】
自動時端数棒金収納部２１４及びローカル時端数棒金収納部２１５は、何れも箱状であって、装置本体４１から前方に引き出されて取り外される。自動時端数棒金収納部２１４及びローカル時端数棒金収納部２１５は、何れも装置本体４１に装填された状態で、棒金振分搬送部２１３により振り分けられた端数棒金を収納し、装置本体４１から取り外されることで、収納した端数棒金が外部に取り出し可能となる。
【００７２】
棒金出金部２０３は、棒金振分搬送部２１３で硬貨処理部１１とは反対の第３の方向に振り分けられた棒金を受け取って昇降搬送する棒金出金リフト２２１を有している。棒金振分搬送部２１３で第３の方向に振り分けられる棒金は、端数棒金以外の棒金つまり包装単位枚数の硬貨を包装して作製した正常棒金である。棒金出金部２０３は、棒金出金リフト２２１で搬送されてきた棒金を外部に放出する下部棒金放出口２２２と、棒金出金リフト２２１で搬送されてきた棒金を受け取って外部に取り出し可能に収納する上部棒金出金口２２３と、棒金出金リフト２２１で搬送されてきた棒金を外部に取り出し可能に収納する棒金一括収納部２２４とを有している。
【００７３】
下部棒金放出口２２２は、外部に臨んで設けられており、棒金出金リフト２２１から受け取った棒金を図示略の受箱に向けて放出する。上部棒金出金口２２３は、外部に臨んで設けられており、棒金出金リフト２２１から受け取った棒金を外部に取り出し可能に収納する。棒金一括収納部２２４は、箱状であって、装置本体４１から引き出されて取り外される。棒金一括収納部２２４は、装置本体４１に装填された状態で、棒金出金リフト２２１から受け取った棒金を収納し、装置本体４１から取り外されることで、収納した棒金が外部に取り出し可能となる。
【００７４】
棒金収納部２０２は、棒金出金リフト２２１で搬送されてきた棒金を受け取って硬貨処理部１１の方向に搬送する棒金収納搬送部２３１と、棒金収納搬送部２３１から棒金を受け取って上方に搬送する棒金収納リフト２３２と、棒金収納リフト２３２で搬送されてきた棒金を受け取って金種別に分類して収納する棒金収納本体部２３３と、棒金収納本体部２３３から金種別に棒金を計数しつつ棒金出金リフト２２１に繰り出す棒金繰出部２３４とを有している。棒金出金リフト２２１は、棒金繰出部２３４で棒金収納本体部２３３から繰り出された棒金を受け取って、上部棒金出金口２２３及び棒金一括収納部２２４に振り分ける。
【００７５】
硬貨処理装置１０は、入金部３１のシャッタ３０を閉じ、入金貯留部６２を空の状態でその入金貯留部本体６４及び底板６５の両方を図３に示す装填位置に位置させた受け入れ状態が待機状態となっている。また、この待機状態では、精査ゲート１２２を、出金側搬送路１１２で繰出側搬送路１１１からの硬貨を出金識別計数部１１４に搬送する状態としている。
【００７６】
装置本体４１の収納引出部７２は、図２に示す押し込み位置（全閉位置）と図９に示す引き出し位置（全開位置）との間で、ベース筐体４３に対し前後移動可能に連結されている。収納引出部７２は、図２に示す押し込み位置でベース筐体４３に引き出し不可にロックされており、別体のキー３０１がキーシリンダ３０２に差し込まれて回動させられると、ロックが解除されてベース筐体４３から引き出し可能となる。
【００７７】
図９に示すように、収納引出部７２は、右方に着脱開口部３１０を有して左方に凹む凹形状のカセット収納部３１１を有している。収納引出部７２は、カセット収納部３１１に金種別の収納カセット７１ａ〜７１ｆを収納する。カセット収納部３１１は、上部で水平に広がる天板部３１５と、後部で前後方向に対し直交して広がる後壁部３１６と、前部で前後方向に対し直交して広がる前壁部３１７と、下部で水平に広がる底板部３１８と、これら天板部３１５、後壁部３１６、前壁部３１７及び底板部３１８で囲まれた部分の着脱開口部３１０とは反対側を閉塞する側壁部３１９を有している。
【００７８】
底板部３１８は、天板部３１５、後壁部３１６及び前壁部３１７よりも右方に延出する延出部３２１を有しており、この延出部３２１を含む底板部３１８には、収納カセット７１ａ〜７１ｆの左右方向のスライドを案内する各一対のガイドレール３２２ａ〜３２２ｆが設けられている。収納カセット７１ａは、図１０に示すように、一対のガイドレール３２２ａの延出部３２１にある部分に載置された後、押し込まれることでガイドレール３２２ａで案内されて、図９に示すように、カセット収納部３１１内のセット位置に位置する。一方、収納カセット７１ａは、図９に示すセット位置から引き出されることでガイドレール３２２ａで案内されて、図１０に示すように、カセット収納部３１１外の取り出し位置に位置し、この取り出し位置で持ち上げられることで、カセット収納部３１１から離れる。
【００７９】
同様に、収納カセット７１ｂは一対のガイドレール３２２ｂで案内されてカセット収納部３１１内のセット位置とカセット収納部３１１外の取り出し位置との間で移動し、収納カセット７１ｃは一対のガイドレール３２２ｃで案内されてカセット収納部３１１内のセット位置とカセット収納部３１１外の取り出し位置との間で移動し、収納カセット７１ｄは一対のガイドレール３２２ｄで案内されてカセット収納部３１１内のセット位置とカセット収納部３１１外の取り出し位置との間で移動し、収納カセット７１ｅは一対のガイドレール３２２ｅで案内されてカセット収納部３１１内のセット位置とカセット収納部３１１外の取り出し位置との間で移動し、収納カセット７１ｆは一対のガイドレール３２２ｆで案内されてカセット収納部３１１内のセット位置とカセット収納部３１１外の取り出し位置との間で移動する。
【００８０】
天板部３１５には、図９に示すように、カセット収納部３１１のセット位置にセットされた収納カセット７１ａの鉛直上方に位置して収納部側開口部３２５ａが形成されており、同様に、セット位置にセットされた収納カセット７１ｂの鉛直上方に収納部側開口部３２５ｂが、セット位置にセットされた収納カセット７１ｃの鉛直上方に収納部側開口部３２５ｃが、セット位置にセットされた収納カセット７１ｄの鉛直上方に収納部側開口部３２５ｄが、セット位置にセットされた収納カセット７１ｅの鉛直上方に収納部側開口部３２５ｅが、セット位置にセットされた収納カセット７１ｆの鉛直上方に収納部側開口部３２５ｆが、それぞれ形成されている。
【００８１】
収納引出部７２がベース筐体４３に押し込まれた状態にあるとき、収納部側開口部３２５ａは、上記した収納位置に位置する図５に示す入金貯留部本体６４の貯留区分部６３ａを構成する部分の鉛直下方に位置することになる。なお、図３〜図７においては、簡略化のため、収納引出部７２は図示を略している。
【００８２】
同様に、図９に示す収納部側開口部３２５ｂが、図５に示す収納位置に位置する入金貯留部本体６４の貯留区分部６３ｂを構成する部分の鉛直下方に、図９に示す収納部側開口部３２５ｃが、図５に示す収納位置に位置する入金貯留部本体６４の貯留区分部６３ｃを構成する部分の鉛直下方に、図９に示す収納部側開口部３２５ｄが、図５に示す収納位置に位置する入金貯留部本体６４の貯留区分部６３ｄを構成する部分の鉛直下方に、図９に示す収納部側開口部３２５ｅが、図５に示す収納位置に位置する入金貯留部本体６４の貯留区分部６３ｅを構成する部分の鉛直下方に、図９に示す収納部側開口部３２５ｆが、図５に示す収納位置に位置する入金貯留部本体６４の貯留区分部６３ｆを構成する部分の鉛直下方に、それぞれ位置する。
【００８３】
図９に示すカセット収納部３１１は、異物侵入防止のために、着脱開口部３１０と収納部側開口部３２５ａ〜３２５ｆとを除いて、天板部３１５、後壁部３１６、前壁部３１７及び側壁部３１９で覆われている。更に、着脱開口部３１０の高さと収納カセット７１ａ〜７１ｆの高さとがほぼ同じ高さとされている。
【００８４】
カセット収納部３１１は、収納部側開口部３２５ａ〜３２５ｆを開閉する板状の収納部側開閉体３３１と、収納部側開閉体３３１を開閉駆動する開閉駆動機構３３２とを有している。収納部側開閉体３３１は、例えば１枚の長い板で形成されており、１つの部材で全部の収納部側開口部３２５ａ〜３２５ｆを同時に開いたり同時に閉じたりすることができる。開閉駆動機構３３２は、制御部１４１に制御されて、収納部側開閉体３３１を、収納部側開口部３２５ａ〜３２５ｆを開く開放位置と、収納部側開口部３２５ａ〜３２５ｆを閉じる図９に示す閉塞位置との間で左右に移動させる。
【００８５】
収納カセット７１ａ〜７１ｆは、同様の構造であるため、収納カセット７１ａを例にとり説明する。図１１に示す収納カセット７１ａは、金属製、樹脂製又はこれらを組み合わせて作製された箱である。収納カセット７１ａは、上部にカセット側開口部３４１（開口部）を有して硬貨を収納する硬貨収納体３４２と、カセット側開口部３４１を開閉するカセットシャッタ３４３（シャッタ）とを備えている。カセットシャッタ３４３は手動で開閉される。収納カセット７１ａは、これが装着される収納引出部７２を含む装置本体４１から硬貨がカセット側開口部３４１に送り込まれることになり、カセット側開口部３４１に送り込まれた硬貨を内部に収納する。
【００８６】
硬貨収納体３４２は、主壁部３５１と、主壁部３５１と対向する対向壁部３５２と、主壁部３５１及び対向壁部３５２同士を繋ぐ一対の壁部３５３と、これらで囲まれた部分の下部を閉塞する底板部３５４とを有している。これにより、硬貨収納体３４２は、上部にカセット側開口部３４１を有して下方に凹む凹形状をなしている。硬貨収納体３４２には、主壁部３５１に、図１０に示すように、カセット収納部３１１から引き出される際に操作者に把持される取っ手３５８が設けられている。
【００８７】
図１１に示すように、硬貨収納体３４２には、一対の壁部３５３の上部の相互対向側に、互いに離れる方向に凹んで主壁部３５１及び対向壁部３５２を結ぶ方向に延在する一対のガイド溝３６１が形成されている。硬貨収納体３４２には、その上端部の主壁部３５１及び対向壁部３５２を結ぶ方向の中間部に、一対の壁部３５３同士を結ぶように把持棒３６２が設けられている。把持棒３６２は、収納カセット７１ａを持ち上げる際に、操作者により把持される部分である。
【００８８】
硬貨収納体３４２には、一方の壁部３５３の対向壁部３５２側に、鉤型の開閉体ロック部材３６５が支持軸３６６を中心に回動可能に設けられている。開閉体ロック部材３６５は、図示略のスプリングで付勢されて、図１１に示すように、支持軸３６６から主壁部３５１側に延出する姿勢となっており、図示略のスプリングの付勢力に抗して下方に回動可能となっている。開閉体ロック部材３６５は、主壁部３５１側の先端部に上方に突出する係合爪部３６７を有している。係合爪部３６７は、支持軸３６６とは反対側が主壁部３５１側ほど低くなるように傾斜している。また、硬貨収納体３４２は、別体のキー部材３７１が差し込まれて回動させられるキーシリンダ３７２と、キーシリンダ３７２が回動させられることで開閉体ロック部材３６５を図示略のスプリングに付勢力に抗して下方に回動させる図示略の開閉ロック解除機構とを有している。
【００８９】
カセットシャッタ３４３は、板状のスライド部材３８１と、スライド部材３８１にヒンジ３８２を介して回動可能に連結された板状の回動部材３８３とを有している。スライド部材３８１は、一対のガイド溝３６１に挿入されてこれらに沿ってスライドするスライド板部３８５と、スライド板部３８５のヒンジ３８２とは反対側から上方に立ち上がる押圧板部３８６と、スライド板部３８５の下面に設けられた係合凸部３８７とを有している。回動部材３８３は、スライド部材３８１のスライド板部３８５と同一平面をなす状態で、一対のガイド溝３６１に挿入されてこれらに沿ってスライドする回動板部３９１と、回動板部３９１がスライド板部３８５と同一平面をなす状態で、回動板部３９１のヒンジ３８２とは反対側から上方に立ち上がる把持板部３９２とを有している。
【００９０】
カセットシャッタ３４３は、図１２に示すように、スライド板部３８５が主壁部３５１側に位置して回動部材３８３をヒンジ３８２から下方に延出させる位置が、硬貨収納体３４２のカセット側開口部３４１を開放する開放位置となる。ヒンジ３８２から下方に延出する回動部材３８３は、図１１に示す取っ手３５８及びキーシリンダ３７２を覆う。硬貨収納体３４２は、主壁部３５１の取っ手３５８よりも下側に開閉体保持部３９５を有している。開閉体保持部３９５は、ヒンジ３８２から下方に延出する状態の回動部材３８３を磁力で吸着するマグネットキャッチである。収納カセット７１ａは、大量の硬貨を収納するものであることから、大量の硬貨の重量に耐えうる金属製とされており、その一部である金属製の回動部材３８３が揺れると、騒音が発生してしまう。また、収納カセット７１ａ内の硬貨を外へ放出する時、回動部材３８３が揺れると硬貨放出の作業性が悪くなる。これらのため、開閉体保持部３９５が回動部材３８３を吸着してその揺れを規制する。
【００９１】
図１３に示すように、カセットシャッタ３４３がカセット側開口部３４１を開放する開放位置から、操作者が、把持板部３９２を把持し回動部材３８３を持ち上げて、図１４に示すように、回動板部３９１をスライド板部３８５と同一平面をなす状態として、回動板部３９１を一対のガイド溝３６１に挿入すると、回動板部３９１とスライド板部３８５とが同一平面をなす状態のまま、カセットシャッタ３４３が対向壁部３５２側に移動し、図１５に示すように、対向壁部３５２に当接する。その直前に、カセットシャッタ３４３の係合凸部３８７が、開閉体ロック部材３６５の係合爪部３６７の先端の傾斜部分に当接してこの傾斜により開閉体ロック部材３６５を図示略のスプリングの付勢力に抗して下方に回動させた後、係合爪部３６７の位置を越えることで開閉体ロック部材３６５を図示略のスプリングの付勢力で上方に回動させる。その結果、係合凸部３８７が係合爪部３６７に係合して、カセットシャッタ３４３を硬貨収納体３４２に対し移動不可にロックする。この位置が、カセットシャッタ３４３が硬貨収納体３４２のカセット側開口部３４１を閉塞すると共に、開閉体ロック部材３６５でスライド不可にロックされる閉塞位置となる。このようにカセットシャッタ３４３がカセット側開口部３４１を閉塞する状態でロックされると、収納カセット７１ａは、内部へのアクセスが規制されることになる。
【００９２】
この閉塞状態で、図１６に示す別体のキー部材３７１がキーシリンダ３７２に差し込まれて回動させられると、図示略の開閉ロック解除機構が図１５に示す開閉体ロック部材３６５を図示略のスプリングに付勢力に抗して下方に回動させることになり、その結果、カセットシャッタ３４３が硬貨収納体３４２に対しスライド可能となる。この状態で、操作者が、把持板部３９２を把持してカセットシャッタ３４３を硬貨収納体３４２に対し対向壁部３５２とは反対側にスライドさせると、カセット側開口部３４１を開放する開放状態となる。カセットシャッタ３４３は、この開放状態になると、図１３に示すように、係合凸部３８７が主壁部３５１に当接して、それ以上の引き出しが規制される。
【００９３】
支持軸３６６、開閉体ロック部材３６５、これを付勢する図示略のスプリング、キーシリンダ３７２及び図示略の開閉ロック解除機構が、カセットシャッタ３４３の閉作動でカセットシャッタ３４３に押圧されてカセットシャッタ３４３を閉状態でロックすると共に、別体のキー部材３７１でロックが解除される開閉体ロック機構４０１を構成している。収納カセット７１ａが、この開閉体ロック機構４０１を備えている。
【００９４】
収納カセット７１ａは、図１５に示すように、カセットシャッタ３４３がカセット側開口部３４１を閉塞する状態でロックされると、図１６に示す別体のキー部材３７１でロックを解除するまでは内部へのアクセスが規制されることになり、硬貨運搬用の金庫として機能する。
【００９５】
図１３に示すように、カセット収納部３１１の天板部３１５側の側壁部３１９側には、カセットロック部材４１１が支持軸４１２を中心に回動可能に設けられている。カセットロック部材４１１は、図示略のスプリングで付勢されて、図１３に示すように、支持軸４１２から側壁部３１９に向けて斜め下方に延出する姿勢となっており、図示略のスプリングの付勢力に抗して上方に回動可能となっている。カセットシャッタ３４３を開放状態とした収納カセット７１ａが図９に示すガイドレール３２２ａで案内されて取り出し位置からセット位置までカセット収納部３１１内に押し込まれると、収納カセット７１ａの図１３に示す対向壁部３５２が、カセットロック部材４１１に当接してこれを図示略のスプリングの付勢力に抗して上方に回動させた後、カセットロック部材４１１を越えることでこれを図示略のスプリングの付勢力で下方に回動させて、図１３に示すように、カセットロック部材４１１に係合する。これにより、収納カセット７１ａがカセットロック部材４１１でセット位置にロックされる。
【００９６】
この状態で、操作者が、カセットシャッタ３４３の把持板部３９２を把持し、図１４に示すように、回動部材３８３を持ち上げて、回動板部３９１をスライド板部３８５と同一平面をなす状態として、回動板部３９１を一対のガイド溝３６１に挿入すると、回動板部３９１とスライド板部３８５とが同一平面をなす状態のまま、カセットシャッタ３４３が対向壁部３５２側に移動し、対向壁部３５２に当接する。その直前に、押圧板部３８６が、カセットロック部材４１１に当接し、これを図示略のスプリングの付勢力に抗して持ち上げて、図１５に示すように、カセットロック部材４１１による収納カセット７１ａのセット位置でのロックを解除する。ここで、カセットシャッタ３４３が開閉体ロック部材３６５によりロックされた後に、カセットシャッタ３４３によるカセットロック部材４１１のロック解除が行われる。これにより、収納カセット７１ａを取り出す時には、必ずカセットシャッタ３４３が開閉体ロック部材３６５によりロックされている状態となり、セキュリティを確保できる。なお、カセットシャッタ３４３が開閉体ロック部材３６５によりロックされた後にカセットシャッタ３４３によるカセットロック部材４１１のロック解除が行われることが好ましいが、カセットシャッタ３４３によるカセットロック部材４１１のロック解除と、カセットシャッタ３４３の開閉体ロック部材３６５によるロックとは同時に行われるようにしても良い。
【００９７】
カセットロック部材４１１及びこれを付勢する図示略のスプリングは、セット位置にセットされた収納カセット７１ａを取り出し不可にロックすると共に収納カセット７１ａのカセットシャッタ３４３の閉作動でカセットシャッタ３４３に押圧されてロックが解除されるカセットロック機構４１５を構成している。カセット収納部３１１が、このカセットロック機構４１５を備えている。
【００９８】
カセット収納部３１１は、何れも同様の構造をなす、収納カセット７１ｂを取り出し不可にロックすると共に収納カセット７１ｂのカセットシャッタ３４３の閉作動でロックが解除されるカセットロック機構４１５と、収納カセット７１ｃを取り出し不可にロックすると共に収納カセット７１ｃのカセットシャッタ３４３の閉作動でロックが解除されるカセットロック機構４１５と、収納カセット７１ｄを取り出し不可にロックすると共に収納カセット７１ｄのカセットシャッタ３４３の閉作動でロックが解除されるカセットロック機構４１５と、収納カセット７１ｅを取り出し不可にロックすると共に収納カセット７１ｅのカセットシャッタ３４３の閉作動でロックが解除されるカセットロック機構４１５と、収納カセット７１ｆを取り出し不可にロックすると共に収納カセット７１ｆのカセットシャッタ３４３の閉作動でロックが解除されるカセットロック機構４１５とを有している。
【００９９】
図９に示すように、収納カセット７１ａ〜７１ｆがカセット収納部３１１のセット位置にセットされて、図２に示すように、収納引出部７２がベース筐体４３に押し込まれた押し込み位置に位置する状態で、装置本体４１の図５に示す入金貯留部６２が、底板６５を装填位置に保持した状態のまま入金貯留部本体６４を側方の収納位置に移動させる収納部収納状態になると、貯留区分部６３ａから落下する硬貨を、図１３に示すように、開放状態にある収納部側開口部３２５ａ及び収納カセット７１ａの開放状態にあるカセット側開口部３４１を介して収納カセット７１ａ内に放出する。言い換えれば、収納カセット７１ａは、カセット側開口部３４１を有し、カセット収納部３１１に対し着脱可能であってカセット収納部３１１にセットされた状態で装置本体４１から収納部側開口部３２５ａを介して放出される硬貨をカセット側開口部３４１を介して受け入れて収納する。収納引出部７２は、その収納部側開口部３２５ａが、装置本体４１から収納カセット７１ａに硬貨を送り込む際に硬貨を通過させる。
【０１００】
同様に、貯留区分部６３ｂの硬貨を、開放状態にある収納部側開口部３２５ｂ及び収納カセット７１ｂの開放状態にあるカセット側開口部３４１を介して収納カセット７１ｂ内に、貯留区分部６３ｃの硬貨を、開放状態にある収納部側開口部３２５ｃ及び収納カセット７１ｃの開放状態にあるカセット側開口部３４１を介して収納カセット７１ｃ内に、貯留区分部６３ｄの硬貨を、開放状態にある収納部側開口部３２５ｄ及び収納カセット７１ｄの開放状態にあるカセット側開口部３４１を介して収納カセット７１ｄ内に、貯留区分部６３ｅの硬貨を、開放状態にある収納部側開口部３２５ｅ及び収納カセット７１ｅの開放状態にあるカセット側開口部３４１を介して収納カセット７１ｅ内に、貯留区分部６３ｆの硬貨を、開放状態にある収納部側開口部３２５ｆ及び収納カセット７１ｆの開放状態にあるカセット側開口部３４１を介して収納カセット７１ｆ内に、それぞれ放出する。
【０１０１】
図２に示すように、収納引出部７２が装置本体４１に押し込まれた状態では、図９に示す収納カセット７１ａ〜７１ｆは、図１３に収納カセット７１ａを例示するようにカセット側開口部３４１を開放させた状態で収納引出部７２内に収納されている。即ち、装置稼働開始前には、空の収納カセット７１ａ〜７１ｆが、それぞれの上部のカセットシャッタ３４３を開き、ぞれぞれのカセット側開口部３４１を開放した状態で収納引出部７２に装填されている。このとき、収納カセット７１ａ〜７１ｆのそれぞれの対向壁部３５２が、それぞれ対応するカセットロック部材４１１に係合しており、収納カセット７１ａ〜７１ｆがそれぞれ対応するカセットロック部材４１１でセット位置にロックされている。
【０１０２】
収納引出部７２のカセット収納部３１１の収納部側開閉体３３１は、図９，図１０に示すように、収納部側開口部３２５ａ〜３２５ｆを全閉にする閉塞位置が基本位置となっており、装置本体４１から収納カセット７１ａ〜７１ｆ内に硬貨を放出する際に、基本位置から収納部側開口部３２５ａ〜３２５ｆを全開状態にする開放位置に移動する。なお、収納部側開閉体３３１は、開放位置を基本位置とし、収納引出部７２をベース筐体４３から引き出すときに、収納部側開閉体３３１を開放位置から閉塞位置に移動させるようにしても良い。
【０１０３】
「入金処理」
図示略の操作部に入金処理実行の操作入力がなされると、制御部１４１は、入金部３１のシャッタ３０を開くと共に、開閉駆動機構３３２により、それまで収納部側開口部３２５ａ〜３２５ｆを閉塞する閉塞位置にあった収納部側開閉体３３１を開放位置に移動させて、収納部側開口部３２５ａ〜３２５ｆを全開状態にする。入金部３１内に硬貨が投入されたことを図示略のセンサで検出すると、制御部１４１は、入金部３１のシャッタ３０を閉じ、入金部３１によって硬貨を一枚ずつ分離した状態で入金搬送部３３に繰り出し、入金搬送部３３で搬送しながら、入金識別計数部３２で真偽、金種及び正損を識別して計数する。そして、入金識別計数部３２で偽つまり受け入れ不可と識別された硬貨を入金リジェクト案内部３４で入金搬送部３３から案内して入金リジェクト部３５に収納する。他方、入金識別計数部３２で受け入れ可能と識別された硬貨を貯留案内部６１で入金搬送部３３から案内して、入金貯留部本体６４及び底板６５の両方が装填位置に位置する受け入れ状態の入金貯留部６２に分類して貯留させる。入金貯留部６２は、貯留区分部６３ｇに全金種の汚損硬貨を、貯留区分部６３ａに１円の正常硬貨を、貯留区分部６３ｂに５０円の正常硬貨を、貯留区分部６３ｃに５円の正常硬貨を、貯留区分部６３ｄに１００円の正常硬貨を、貯留区分部６３ｅに１０円の正常硬貨を、貯留区分部６３ｆに５００円の正常硬貨を、それぞれ貯留することになる。
【０１０４】
そして、入金部３１内にあった全ての硬貨が入金リジェクト部３５或いは入金貯留部６２に至ったと判定すると、制御部１４１は、入金識別計数部３２の識別結果から、受け入れ可能な入金硬貨の金種別の硬貨量を図示略の表示部に表示させると共に、図示略の操作部に了解操作及びキャンセル操作の何れか一方の選択入力を受け付ける状態になって入金処理を終了する。
【０１０５】
「入金収納処理」
入金処理後、操作部に了解操作が入力されると、制御部１４１は、硬貨収納繰出部８１が硬貨を繰り出す繰出処理を行っているか否かを判定する。硬貨収納繰出部８１が硬貨を繰り出す繰出処理を行っている場合、制御部１４１は、硬貨収納繰出部８１への硬貨の収納処理を禁止する状態になっている。このため、制御部１４１は、図５に示すように、入金貯留部６２を、ロック機構５０１を解除して底板６５を装填位置に保持した状態のまま入金貯留部本体６４を側方の収納位置に移動させる収納部収納状態にすることで、貯留区分部６３ａ〜６３ｇから落下する硬貨を、その分類状態のままで硬貨収納部７１に収納する収納部収納処理を行う。
【０１０６】
その際に、制御部１４１は、それまで硬貨収納部７１の収納カセット７１ａ〜７１ｆ及び汚損硬貨収納箱８２ｇにそれぞれ収納していた硬貨の金種別の硬貨量に、今回の入金処理及び入金収納処理で収納カセット７１ａ〜７１ｆ及び汚損硬貨収納箱８２ｇにそれぞれ収納する硬貨の金種別の硬貨量を、収納カセット７１ａ〜７１ｆ及び汚損硬貨収納箱８２ｇ毎に加算して、入金収納処理後に収納カセット７１ａ〜７１ｆ及び汚損硬貨収納箱８２ｇにそれぞれに収納している硬貨量を算出する。即ち、収納カセット７１ａについては、それまで収納していた硬貨の硬貨量に、今回収納する硬貨の硬貨量を加算して、入金収納処理後に収納カセット７１ａに収納している硬貨量、即ち収納カセット７１ａの金種の正常硬貨の硬貨量を算出する。同様に、収納カセット７１ｂ〜７１ｆのそれぞれについても、それまで収納していた硬貨の硬貨量に、今回収納する硬貨の硬貨量を加算して、入金収納処理後にそれぞれに収納している硬貨量を算出する。汚損硬貨収納箱８２ｇについては、それまで収納していた硬貨の金種別の硬貨量に、今回収納する硬貨の金種別硬貨量を金種毎に加算して、入金収納処理後に収納している金種別の硬貨量を算出すると共に、それまで収納していた硬貨の全金種の硬貨量に、今回収納する硬貨の全金種の硬貨量を加算して、入金収納処理後に収納している全硬貨の硬貨量を算出する。
【０１０７】
この収納部収納処理によって、貯留区分部６３ｇから落下する汚損硬貨を汚損硬貨収納箱８２ｇが収納し、貯留区分部６３ａから収納部側開口部３２５ａを介して落下する１円の正常硬貨を収納カセット７１ａが収納し、貯留区分部６３ｂから収納部側開口部３２５ｂを介して落下する５０円の正常硬貨を収納カセット７１ｂが収納し、貯留区分部６３ｃから収納部側開口部３２５ｃを介して落下する５円の正常硬貨を収納カセット７１ｃが収納し、貯留区分部６３ｄから収納部側開口部３２５ｄを介して落下する１００円の正常硬貨を収納カセット７１ｄが収納し、貯留区分部６３ｅから収納部側開口部３２５ｅを介して落下する１０円の正常硬貨を収納カセット７１ｅが収納し、貯留区分部６３ｆから収納部側開口部３２５ｆを介して落下する５００円の正常硬貨を収納カセット７１ｆが収納する。その後、制御部１４１は、入金貯留部本体６４を図３に示す装填位置に戻してロック機構５０１によって入金貯留部本体６４と底板６５とをロックすると共に、開閉駆動機構３３２により、収納部側開閉体３３１を閉塞位置に戻して収納部側開口部３２５ａ〜３２５ｆを閉塞して、収納部収納処理即ち入金収納処理を終了する。
【０１０８】
つまり、硬貨収納繰出部８１の繰出処理中に、入金貯留部６２に貯留している硬貨を硬貨収納繰出部８１に収納すると、硬貨収納繰出部８１の繰出処理で繰り出しジャムが発生する可能性が高くなることから、繰り出しジャムの発生を抑制するために、硬貨収納繰出部８１の繰出処理中は、入金貯留部６２に貯留している硬貨を、その分類状態のまま、硬貨収納繰出部８１とは別の硬貨収納部７１に収納する。
【０１０９】
入金処理後、操作部に了解操作が入力された時点で、硬貨収納繰出部８１が硬貨を繰り出す繰出処理を行っていなければ、制御部１４１は、入金貯留部６２の金種別の貯留区分部６３ａ〜６３ｆに貯留している硬貨量と、硬貨収納繰出部８１の金種別の出金ホッパ８１ａ〜８１ｆに収納している硬貨量とを、金種別に加算して金種別の合計値を割り出す。また、貯留区分部６３ｇに貯留している汚損硬貨の硬貨量と、汚損硬貨収納箱８２ｇに貯留している硬貨量とを加算して汚損硬貨の合計値を割り出す。そして、制御部１４１は、各金種別の合計値を各金種別に予め設定された設定値と比較すると共に、汚損硬貨の合計値を汚損硬貨の予め設定された設定値と比較する。
【０１１０】
つまり、制御部１４１は、貯留区分部６３ａの硬貨量と出金ホッパ８１ａの硬貨量とを加算して１円の正常硬貨の硬貨量の合計値を割り出し、この合計値を１円の正常硬貨の硬貨量の設定値と比較する。また、制御部１４１は、貯留区分部６３ｂの硬貨量と出金ホッパ８１ｂの硬貨量とを加算して５０円の正常硬貨の硬貨量の合計値を割り出し、この合計値を５０円の正常硬貨の硬貨量の設定値と比較する。同様にして、制御部１４１は、５円の正常硬貨の硬貨量の合計値を割り出して、これを５円の正常硬貨の硬貨量の設定値と比較し、１００円の正常硬貨の硬貨量の合計値を割り出して、これを１００円の正常硬貨の硬貨量の設定値と比較し、１０円の正常硬貨の硬貨量の合計値を割り出して、これを１０円の正常硬貨の硬貨量の設定値と比較し、５００円の正常硬貨の硬貨量の合計値を割り出して、これを５００円の正常硬貨の硬貨量の設定値と比較する。また、制御部１４１は、入金貯留部６２の汚損硬貨用の貯留区分部６３ｇに貯留している硬貨量と、硬貨収納出金処理部２２の汚損硬貨用の汚損硬貨収納箱８２ｇに収納している硬貨量とを加算して合計値を割り出し、この合計値についても汚損硬貨用に設定された設定値と比較する。ここで、出金ホッパ８１ａ〜８１ｆ及び汚損硬貨収納箱８２ｇのそれぞれの設定値は、それぞれが収納している硬貨が満杯であると判定できる満杯値未満で設定可能であり、ユーザーが任意に設定できるようになっている。
【０１１１】
そして、割り出した硬貨量の金種別の合計値が何れか一金種でも設定値を超えると、制御部１４１は、硬貨収納繰出部８１への硬貨の収納処理を禁止する状態になり、上記した収納部収納処理を行って、貯留区分部６３ｇの硬貨を汚損硬貨収納箱８２ｇに、貯留区分部６３ａの硬貨を収納カセット７１ａに、貯留区分部６３ｂの硬貨を収納カセット７１ｂに、貯留区分部６３ｃの硬貨を収納カセット７１ｃに、貯留区分部６３ｄの硬貨を収納カセット７１ｄに、貯留区分部６３ｅの硬貨を収納カセット７１ｅに、貯留区分部６３ｆの硬貨を収納カセット７１ｆに、それぞれ収納する。その後、制御部１４１は、入金貯留部本体６４を図３に示す装填位置に戻してロック機構５０１によって入金貯留部本体６４と底板６５とをロックすると共に、開閉駆動機構３３２により、収納部側開閉体３３１を閉塞位置に戻して収納部側開口部３２５ａ〜３２５ｆを閉塞して、収納部収納処理つまり入金収納処理を終了する。
【０１１２】
つまり、制御部１４１は、入金貯留部６２に分類別に貯留している硬貨を、その分類状態のまま、硬貨収納出金処理部２２に収納すると、硬貨収納出金処理部２２の出金ホッパ８１ａ〜８１ｆ及び汚損硬貨収納箱８２ｇの何れかで設定値を超えてしまう場合、入金貯留部６２に分類別に貯留している硬貨を、その分類状態のまま、硬貨収納出金処理部２２とは別の硬貨収納部７１に収納する。言い換えれば、制御部１４１は、入金貯留部６２の金種別の貯留区分部６３ａ〜６３ｆ及び硬貨収納繰出部８１の金種別の出金ホッパ８１ａ〜８１ｆの硬貨量の金種別の合計値が、何れか一金種でも設定値を超えると、入金貯留部６２に貯留している硬貨を硬貨収納部７１に収納する。
【０１１３】
入金処理後、操作部に了解操作が入力された時点で、硬貨収納出金処理部２２が硬貨を繰り出す繰出処理を行っておらず、上記した入金貯留部６２の金種別の硬貨量と硬貨収納出金処理部２２の金種別の硬貨量との金種別の合計値が、何れの金種についても設定値を超えず、入金貯留部６２の汚損硬貨の硬貨量と硬貨収納出金処理部２２の汚損硬貨の硬貨量との合計値も設定値を超えない場合に、制御部１４１は、硬貨収納繰出部８１への硬貨の収納処理を許容する状態になり、図７に示すように、入金貯留部６２を、ロック機構５０１を解除して入金貯留部本体６４を装填位置に保持した状態のまま底板６５を側方の収納位置に移動させる収納繰出部等収納状態とすることで、貯留区分部６３ａ〜６３ｇから落下する硬貨を、その分類状態のままで硬貨収納繰出部８１及び硬貨収納部７１の汚損硬貨収納箱８２ｇに収納する収納繰出部等収納処理を行う。
【０１１４】
その際に、制御部１４１は、それまで硬貨収納出金処理部２２の出金ホッパ８１ａ〜８１ｆ及び汚損硬貨収納箱８２ｇに収納していた硬貨の金種別の硬貨量に、今回の入金処理及び入金収納処理で出金ホッパ８１ａ〜８１ｆ及び汚損硬貨収納箱８２ｇに収納する硬貨の金種別の硬貨量を加算して、入金収納処理後に出金ホッパ８１ａ〜８１ｆ及び汚損硬貨収納箱８２ｇにそれぞれ収納している硬貨量を算出する。即ち、出金ホッパ８１ａについては、それまで収納していた硬貨の硬貨量に、今回収納する硬貨の硬貨量を加算して、入金収納処理後に出金ホッパ８１ａに収納している硬貨量、即ち出金ホッパ８１ａの金種の正常硬貨の硬貨量を算出する。同様に、出金ホッパ８１ｂ〜８１ｆのそれぞれについても、それまで収納していた硬貨の硬貨量に、今回収納する硬貨の硬貨量を加算して、入金収納処理後にそれぞれに収納している硬貨量を算出する。汚損硬貨収納箱８２ｇについては、それまで収納していた硬貨の金種別硬貨量に、今回収納する硬貨の金種別硬貨量を金種毎に加算して、入金収納処理後に収納している金種別硬貨量を算出すると共に、それまで収納していた硬貨の全金種の硬貨量に、今回収納する硬貨の全金種の硬貨量を加算して、入金収納処理後に収納している全硬貨量を算出する。
【０１１５】
この収納繰出部等収納処理によって、貯留区分部６３ｇから落下する汚損硬貨を汚損硬貨収納箱８２ｇが、貯留区分部６３ａから落下する１円の正常硬貨を出金ホッパ８１ａが、貯留区分部６３ｂから落下する５０円の正常硬貨を出金ホッパ８１ｂが、貯留区分部６３ｃから落下する５円の正常硬貨を出金ホッパ８１ｃが、貯留区分部６３ｄから落下する１００円の正常硬貨を出金ホッパ８１ｄが、貯留区分部６３ｅから落下する１０円の正常硬貨を出金ホッパ８１ｅが、貯留区分部６３ｆから落下する５００円の正常硬貨を出金ホッパ８１ｆが、それぞれ収納する。その後、制御部１４１は、図３に示すように、底板６５を装填位置に戻してロック機構５０１によって入金貯留部本体６４と底板６５とをロックすると共に、開閉駆動機構３３２により、収納部側開閉体３３１を閉塞位置に戻して収納部側開口部３２５ａ〜３２５ｆを閉塞して、収納繰出部等収納処理つまり入金収納処理を終了する。ここで、制御部１４１は、この収納繰出部等収納処理を開始した後は、この収納繰出部等収納処理が終了するまでは、硬貨収納繰出部８１の硬貨を繰り出す繰出処理を禁止する。そして、収納繰出部等収納処理が終了すると、硬貨収納繰出部８１の硬貨を繰り出す繰出処理を許容する状態になる。
【０１１６】
以上、硬貨収納出金処理部２２の硬貨収納繰出部８１が繰出処理中でなければ、入金貯留部６２に貯留している硬貨を硬貨収納繰出部８１に収納しても、繰出処理を行っていない硬貨収納繰出部８１に繰り出しジャムが発生することはないため、硬貨収納繰出部８１の非繰出処理時には、入金貯留部６２に貯留している硬貨を、その分類状態のまま、硬貨収納繰出部８１に収納する。
【０１１７】
「硬貨回収処理」
ここで、制御部１４１は、上記した収納部収納処理終了時に、上記のようにして算出された収納カセット７１ａ〜７１ｆの各金種別の硬貨量を各金種別に予め設定された収納カセット７１ａ〜７１ｆのニアフル値及びニアフル近傍値（所定量）と比較して、収納カセット７１ａ〜７１ｆのそれぞれについて、満杯に近いニアフル状態になったか否か及びニアフル状態に近いニアフル近傍状態になったか否かを判定する。それと共に、制御部１４１は、汚損硬貨収納箱８２ｇの汚損硬貨の硬貨量を汚損硬貨の予め設定された汚損硬貨収納箱８２ｇのニアフル値と比較して、汚損硬貨収納箱８２ｇについて、満杯に近いニアフル状態になったか否かを判定する。また、制御部１４１は、上記した収納繰出部等収納処理終了時においても、上記のようにして算出された汚損硬貨収納箱８２ｇの汚損硬貨の硬貨量を予め設定された汚損硬貨収納箱８２ｇのニアフル値と比較して、汚損硬貨収納箱８２ｇについて満杯に近いニアフル状態になったか否かを判定する。
【０１１８】
ここで、制御部１４１は、収納カセット７１ａ〜７１ｆ及び汚損硬貨収納箱８２ｇのそれぞれについて、満杯検知センサが硬貨を検知しない状態から検知する状態に切り替わると、満杯状態になったと判定することになる。収納カセット７１ａ〜７１ｆ及び汚損硬貨収納箱８２ｇのそれぞれについて、実験的に求めた、満杯検知センサが硬貨を検知しない状態から検知する状態に切り替わるときの硬貨量の平均値が満杯値（例えば４５００枚）に設定されている。そして、この満杯値よりも所定量少ない値がニアフル値（例えば４０００枚）に設定されている。そして、このニアフル値よりも所定量少ない値がニアフル近傍値（例えば３５００枚）に設定されている。
【０１１９】
制御部１４１は、入金収納処理の収納部収納処理終了後の収納カセット７１ａの硬貨量が、１円の正常硬貨の収納カセット７１ａにおける硬貨量の満杯値未満であってニアフル値以上であれば、収納カセット７１ａがニアフル状態になったと判定する一方、このニアフル値未満であれば、収納カセット７１ａがニアフル状態になっていないと判定する。また、制御部１４１は、収納部収納処理終了後の収納カセット７１ａの硬貨量が、収納カセット７１ａにおける硬貨量のニアフル値未満であってニアフル近傍値以上であれば、収納カセット７１ａがニアフル近傍状態になったと判定する一方、このニアフル近傍値未満であれば、収納カセット７１ａがニアフル近傍状態になっていないと判定する。
【０１２０】
制御部１４１は、入金収納処理の収納部収納処理終了後の収納カセット７１ｂの硬貨量が、５０円の正常硬貨の収納カセット７１ｂにおける硬貨量の満杯値未満であってニアフル値以上であれば、収納カセット７１ｂがニアフル状態になったと判定する一方、このニアフル値未満であれば、収納カセット７１ｂがニアフル状態になっていないと判定する。また、制御部１４１は、収納部収納処理終了後の収納カセット７１ｂの硬貨量が、収納カセット７１ｂにおける硬貨量のニアフル値未満であってニアフル近傍値以上であれば、収納カセット７１ｂがニアフル近傍状態になったと判定する一方、このニアフル近傍値未満であれば、収納カセット７１ｂがニアフル近傍状態になっていないと判定する。
【０１２１】
制御部１４１は、入金収納処理の収納部収納処理終了後の収納カセット７１ｃの硬貨量が、５円の正常硬貨の収納カセット７１ｃにおける硬貨量の満杯値未満であってニアフル値以上であれば、収納カセット７１ｃがニアフル状態になったと判定する一方、このニアフル値未満であれば、収納カセット７１ｃがニアフル状態になっていないと判定する。また、制御部１４１は、収納部収納処理終了後の収納カセット７１ｃの硬貨量が、収納カセット７１ｃにおける硬貨量のニアフル値未満であってニアフル近傍値以上であれば、収納カセット７１ｃがニアフル近傍状態になったと判定する一方、このニアフル近傍値未満であれば、収納カセット７１ｃがニアフル近傍状態になっていないと判定する。
【０１２２】
制御部１４１は、入金収納処理の収納部収納処理終了後の収納カセット７１ｄの硬貨量が、１００円の正常硬貨の収納カセット７１ｄにおける硬貨量の満杯値未満であってニアフル値以上であれば、収納カセット７１ｄがニアフル状態になったと判定する一方、このニアフル値未満であれば、収納カセット７１ｄがニアフル状態になっていないと判定する。また、制御部１４１は、収納部収納処理終了後の収納カセット７１ｄの硬貨量が、収納カセット７１ｄにおける硬貨量のニアフル値未満であってニアフル近傍値以上であれば、収納カセット７１ｄがニアフル近傍状態になったと判定する一方、このニアフル近傍値未満であれば、収納カセット７１ｄがニアフル近傍状態になっていないと判定する。
【０１２３】
制御部１４１は、入金収納処理の収納部収納処理終了後の収納カセット７１ｅの硬貨量が、１０円の正常硬貨の収納カセット７１ｅにおける硬貨量の満杯値未満であってニアフル値以上であれば、収納カセット７１ｅがニアフル状態になったと判定する一方、このニアフル値未満であれば、収納カセット７１ｅがニアフル状態になっていないと判定する。また、制御部１４１は、収納部収納処理終了後の収納カセット７１ｅの硬貨量が、収納カセット７１ｅにおける硬貨量のニアフル値未満であってニアフル近傍値以上であれば、収納カセット７１ｅがニアフル近傍状態になったと判定する一方、このニアフル近傍値未満であれば、収納カセット７１ｅがニアフル近傍状態になっていないと判定する。
【０１２４】
制御部１４１は、入金収納処理の収納部収納処理終了後の収納カセット７１ｆの硬貨量が、５００円の正常硬貨の収納カセット７１ｆにおける硬貨量の満杯値未満であってニアフル値以上であれば、収納カセット７１ｆがニアフル状態になったと判定する一方、このニアフル値未満であれば、収納カセット７１ｆがニアフル状態になっていないと判定する。また、制御部１４１は、収納部収納処理終了後の収納カセット７１ｆの硬貨量が、収納カセット７１ｆにおける硬貨量のニアフル値未満であってニアフル近傍値以上であれば、収納カセット７１ｆがニアフル近傍状態になったと判定する一方、このニアフル近傍値未満であれば、収納カセット７１ｆがニアフル近傍状態になっていないと判定する。
【０１２５】
制御部１４１は、入金収納処理の収納部収納処理終了後、及び収納繰出部等収納処理終了後の汚損硬貨収納箱８２ｇの硬貨量が、汚損硬貨収納箱８２ｇにおける硬貨量の満杯値未満であってニアフル値以上であれば、汚損硬貨収納箱８２ｇがニアフル状態になったと判定する一方、このニアフル値未満であれば、汚損硬貨収納箱８２ｇがニアフル状態になっていないと判定する。
【０１２６】
ここで、ニアフル値は、満杯であると判定できる満杯値未満で設定可能であり、例えば、４０００枚、３０００枚、２０００枚、１０００枚等に、ユーザーが任意に設定できる。ニアフル近傍値は、ニアフル値未満で設定可能であり、例えば、３５００枚、２５００枚、１５００枚、５００枚等に、ユーザーが任意に設定できる。
【０１２７】
そして、上記判定の結果、収納カセット７１ａ〜７１ｆ及び汚損硬貨収納箱８２ｇのうちの少なくとも一つがニアフル状態であると判定すると、制御部１４１は、図示略の表示部に、収納カセット７１ａ〜７１ｆ及び汚損硬貨収納箱８２ｇのうちのニアフル状態にあるものを表示させる。その際に、制御部１４１は、収納カセット７１ａ〜７１ｆにニアフル近傍状態にあるものがなければ、ニアフル状態にあるものの表示に加えて、回収処理を行うか、回収処理を行わないかの選択操作の入力を促す表示を表示させる。他方、ニアフル状態にあるものを表示させる際に、収納カセット７１ａ〜７１ｆにニアフル近傍状態にあるものがあれば、制御部１４１は、収納カセット７１ａ〜７１ｆ及び汚損硬貨収納箱８２ｇのうちのニアフル状態にあるものに加えて、収納カセット７１ａ〜７１ｆのうちのニアフル近傍状態にあるものも表示させ、ニアフル状態にあるもののみを回収する最小回収処理を行うか、ニアフル近傍状態にあるものも同時に回収する同時回収処理を行うか、最小回収処理及び同時回収処理の何れも行わないかの選択操作の入力を促す表示を表示させる。
【０１２８】
ニアフル近傍状態にあるものがなく回収処理を行う旨の選択操作が入力された場合、及び、ニアフル近傍状態にあるものがあって最小回収処理を行う旨の選択操作が入力された場合、制御部１４１は、ニアフル状態にあるものに収納カセット７１ａ〜７１ｆの何れかが含まれる場合、収納引出部７２をベース筐体４３から引き出し可能な状態とする。また、ニアフル状態にあるものに汚損硬貨収納箱８２ｇが含まれる場合、出金繰出引出部８５をベース筐体４３から引き出し可能な状態とする。
【０１２９】
これにより、操作者は、ニアフル状態にあるものが収納カセット７１ａ〜７１ｆの何れかである場合、収納カセット７１ａ〜７１ｆのうちニアフル状態にあるものを装置本体４１から取り外し回収して、交換用のものと交換することになり、汚損硬貨収納箱８２ｇがニアフル状態にあれば、汚損硬貨収納箱８２ｇの硬貨を回収することになる。そして、制御部１４１は、ニアフル状態にあるものに収納カセット７１ａ〜７１ｆの何れかが含まれる場合、収納カセット７１ａ〜７１ｆのうち、ニアフル状態にあったものが交換用のものと交換されてニアフル状態でなくなり、ニアフル状態にあるものが汚損硬貨収納箱８２ｇである場合、汚損硬貨収納箱８２ｇがニアフル状態でなくなって、収納カセット７１ａ〜７１ｆ及び汚損硬貨収納箱８２ｇが全てニアフル状態でなくなれば、硬貨回収処理を終了する。
【０１３０】
他方、収納カセット７１ａ〜７１ｆにニアフル近傍状態にあるものがあって、図示略の操作部に、同時回収処理を行う旨の選択操作が入力されると、制御部１４１は、収納カセット７１ａ〜７１ｆのうちのニアフル近傍状態にあるものから同時回収対象の収納カセットを、図示略の操作部への入力で、全指定を含んで指定させ、収納カセット７１ａ〜７１ｆのうちのニアフル近傍状態にあって同時回収対象であるものそれぞれについて、現在収納している硬貨の硬貨量から、ニアフル状態にするために必要な硬貨量を割り出し、割り出した硬貨量の硬貨を、硬貨収納繰出部８１の出金ホッパ８１ａ〜８１ｆの対応する金種のものから繰り出す繰出処理を行って、硬貨出金部１０２を介して出金リジェクト部１０４に搬送する。
【０１３１】
例えば、収納カセット７１ａがニアフル近傍状態にあって同時回収対象である場合、出金ホッパ８１ａから硬貨をその計数繰出部９１ａで、収納カセット７１ａをニアフル状態にするために必要な硬貨量だけ繰り出し、繰出側搬送路１１１及び出金側搬送路１１２で搬送して、出金識別計数部１１４で識別しつつ計数して、硬貨出金部１０２に搬送し、出金リジェクト部１０４に搬送する。収納カセット７１ｂ〜７１ｆの何れかがニアフル近傍状態にあって同時回収対象である場合も、出金ホッパ８１ｂ〜８１ｆの対応するもので同様に、収納カセット７１ｂ〜７１ｆのニアフル近傍状態にあって同時回収対象であるものをニアフル状態にするために必要な硬貨量の硬貨を繰り出し、出金リジェクト部１０４に搬送する。このようにして、収納カセット７１ａ〜７１ｆのうちのニアフル近傍状態にあって同時回収対象であるものを全てニアフル状態にするために必要な硬貨を出金リジェクト部１０４に搬送する。
【０１３２】
その際に、制御部１４１は、それまでに硬貨収納出金処理部２２の出金ホッパ８１ａ〜８１ｆに収納していた硬貨の金種別の硬貨量から、今回の同時回収処理で出金ホッパ８１ａ〜８１ｆから繰り出した硬貨の金種別の硬貨量を減算する。即ち、出金ホッパ８１ａから硬貨を繰り出した場合、出金ホッパ８１ａにそれまで収納していた硬貨の硬貨量から、今回繰り出した硬貨の硬貨量を減算して、同時回収処理後に出金ホッパ８１ａに収納している硬貨量、即ち出金ホッパ８１ａの金種の正常硬貨の硬貨量を算出する。同様に、出金ホッパ８１ｂ〜８１ｆのそれぞれについても、それまで収納していた硬貨の硬貨量から、今回繰り出した硬貨の硬貨量を減算して、同時回収処理後にそれぞれに収納している硬貨量を算出する。
【０１３３】
上記のようにして、収納カセット７１ａ〜７１ｆのうちのニアフル近傍状態にあって同時回収対象であるものを全てニアフル状態にするために必要な硬貨を出金リジェクト部１０４に搬送すると、制御部１４１は、出金リジェクト部１０４を装置本体４１の収納引出部７２から取り出し可能な状態として、出金リジェクト部１０４の硬貨の入金部３１への投入を促す表示を図示略の表示部に表示させる。
【０１３４】
出金リジェクト部１０４が収納引出部７２から取り出されたことを図示略のセンサで検知すると、制御部１４１は、入金部３１のシャッタ３０を開く。すると、操作者の手作業により出金リジェクト部１０４の硬貨が入金部３１に投入される。入金部３１内に硬貨が投入されたこと及び出金リジェクト部１０４が収納引出部７２に押し込まれたことを図示略のセンサで検知すると、制御部１４１は、出金リジェクト部１０４を収納引出部７２にロックした後、上記した入金処理と同様にして、入金部３１に投入された硬貨を、金種別に分類して入金貯留部６２に貯留させると共に、入金収納処理の収納部収納処理と同様にして、入金貯留部６２の硬貨を金種別に分類した状態のまま硬貨収納部７１に収納する。これにより、収納カセット７１ａ〜７１ｆのうちのニアフル近傍状態にあった同時回収対象の収納カセットが全てニアフル状態になる。
【０１３５】
その後、制御部１４１は、図示略の表示部に、収納カセット７１ａ〜７１ｆ及び汚損硬貨収納箱８２ｇのうちのニアフル状態にあるものを表示させると共に、回収処理を促す表示を図示略の表示部に表示させる。そして、制御部１４１は、ニアフル状態にあるものに収納カセット７１ａ〜７１ｆの何れかが含まれる場合、収納引出部７２をベース筐体４３から引き出し可能な状態とする。また、ニアフル状態にあるものに汚損硬貨収納箱８２ｇが含まれる場合、出金繰出引出部８５をベース筐体４３から引き出し可能な状態とする。
【０１３６】
これにより、操作者は、ニアフル状態にあるものが収納カセット７１ａ〜７１ｆの何れかである場合、収納カセット７１ａ〜７１ｆのうちニアフル状態にあるものを装置本体４１から取り外し回収して、交換用のものと交換することになり、汚損硬貨収納箱８２ｇがニアフル状態にあれば、汚損硬貨収納箱８２ｇの硬貨を回収することになる。そして、制御部１４１は、ニアフル状態にあるものが収納カセット７１ａ〜７１ｆの何れかである場合、収納カセット７１ａ〜７１ｆのうち、ニアフル状態にあったものが交換用のものと交換されてニアフル状態でなくなり、ニアフル状態にあるものが汚損硬貨収納箱８２ｇである場合、汚損硬貨収納箱８２ｇがニアフル状態でなくなって、収納カセット７１ａ〜７１ｆ及び汚損硬貨収納箱８２ｇが全てニアフル状態でなくなれば、同時回収処理を終了する。
【０１３７】
即ち、制御部１４１は、収納カセット７１ａ〜７１ｆのうちの何れか１つ又は複数の収納カセットで硬貨が満杯に近いニアフル状態になった時に、収納カセット７１ａ〜７１ｆのうちの硬貨がニアフル近傍値（所定量）以上ある１つ又は複数の他の収納カセットについて、対応する金種の硬貨を収納させて満杯に近いニアフル状態にする同時回収処理を行う。
【０１３８】
ニアフル近傍状態にあるものがなく回収処理を行わない旨の選択操作が入力された場合、及び、ニアフル近傍状態にあるものがあって最小回収処理及び同時回収処理の何れも行わない旨の選択操作が入力された場合、制御部１４１は、そのままの状態を維持する。制御部１４１は、収納カセット７１ａ〜７１ｆ及び汚損硬貨収納箱８２ｇのうちの何れかが、満杯状態になったことを満杯検知センサが検知するまでは、収納部収納処理を可能とし、収納カセット７１ａ〜７１ｆ及び汚損硬貨収納箱８２ｇのうちの何れかが満杯状態になったことを満杯検知センサが検知すると、それ以上の収納部収納処理を禁止する。
【０１３９】
「入金返却処理」
入金処理後、操作部にキャンセル操作が入力されると、制御部１４１は、底板６５及び入金貯留部本体６４を収納位置に移動させた後に、図６に示すように、入金貯留部６２を、ロック機構５０１を解除して入金貯留部本体６４のみをさらに側方の返却位置に移動させる返却状態とすることで、貯留区分部６３ａ〜６３ｇから落下する硬貨を、その分類状態のままで硬貨返却部７５に収納する。
【０１４０】
即ち、貯留区分部６３ｇから落下する汚損硬貨を返却区分部７５ｇが、貯留区分部６３ａから落下する１円の正常硬貨を返却区分部７５ａが、貯留区分部６３ｂから落下する５０円の正常硬貨を返却区分部７５ｂが、貯留区分部６３ｃから落下する５円の正常硬貨を返却区分部７５ｃが、貯留区分部６３ｄから落下する１００円の正常硬貨を返却区分部７５ｄが、貯留区分部６３ｅから落下する１０円の正常硬貨を返却区分部７５ｅが、貯留区分部６３ｆから落下する５００円の正常硬貨を返却区分部７５ｆが、それぞれ収納する。その後、制御部１４１は、図３に示すように、底板６５及び入金貯留部本体６４を装填位置に戻してロック機構５０１によって入金貯留部本体６４と底板６５とをロックすると共に、開閉駆動機構３３２により、収納部側開閉体３３１を閉塞位置に戻して収納部側開口部３２５ａ〜３２５ｆを閉塞して、返却処理を終了する。この状態で、硬貨返却部７５は、図２に示すベース筐体４３から取り外されて、収納していた硬貨が外部に取り出される。
【０１４１】
以上により、カセット収納部３１１の収納部側開口部３２５ａ〜３２５ｆは、入金処理を行う前は閉塞位置にある収納部側開閉体３３１によって閉塞され、図示略の操作部で入金操作が行われると、収納部側開閉体３３１が開放位置に位置することによって開放され、入金処理後の、入金収納処理或いは入金返却処理が完了すると、閉塞位置に戻された収納部側開閉体３３１によって閉塞される。
【０１４２】
より具体的には、収納部側開口部３２５ａ〜３２５ｆは、操作部で入金操作が行われた直後に開放され、入金処理後の、入金収納処理或いは入金返却処理が全て完了した後に閉塞される。この場合、入金貯留部６２から収納カセット７１ａ〜７１ｆへの硬貨収納時だけではなく、入金貯留部６２から出金ホッパ８１ａ〜８１ｆへの硬貨装填時にも、収納部側開口部３２５ａ〜３２５ｆは開放されている。
【０１４３】
なお、収納部側開口部３２５ａ〜３２５ｆを、入金操作後に、入金された硬貨が実際に入金貯留部６２から収納カセット７１ａ〜７１ｆへ収納される直前（上記した収納部収納処理の直前）に開放し、硬貨が収納カセット７１ａ〜７１ｆに収納された直後に閉塞するようにしても良い。この場合、入金貯留部６２から出金ホッパ８１ａ〜８１ｆへの硬貨装填時には、収納部側開口部３２５ａ〜３２５ｆは閉塞されている。
【０１４４】
ここで、収納カセット７１ａ〜７１ｆを装置本体４１から取り出す際には、まず、キー３０１で収納引出部７２のベース筐体４３へのロックを解除して、若しくは、図示しない電動ロック機構を作動することにより収納引出部７２のベース筐体４３へのロックを解除して、収納引出部７２をベース筐体４３から引き出す。このとき、基本位置にある収納部側開閉体３３１は収納部側開口部３２５ａ〜３２５ｆを閉塞した状態にある。
【０１４５】
この状態で、操作者が、例えば、収納カセット７１ａを装置本体４１から取り出す場合は、収納カセット７１ａのカセットシャッタ３４３の把持板部３９２を把持し回動部材３８３を持ち上げて、回動板部３９１をスライド板部３８５と同一平面をなす状態として、回動板部３９１を一対のガイド溝３６１に挿入する。すると、回動板部３９１とスライド板部３８５とが同一平面をなす状態のまま、カセットシャッタ３４３が対向壁部３５２側に移動し、対向壁部３５２に当接する。すると、カセットシャッタ３４３は、係合凸部３８７が開閉体ロック部材３６５の係合爪部３６７に係合し、その後、押圧板部３８６がカセットロック部材４１１による収納カセット７１ａのセット位置でのロックを解除する。
【０１４６】
このように、カセットシャッタ３４３が閉塞位置に位置すると、収納カセット７１ａは、カセット収納部３１１に対するロックが解除されて引き出し可能となり、操作者は、取り出し位置まで引き出した収納カセット７１ａをカセット収納部３１１から持ち上げて取り出す。
【０１４７】
カセット収納部３１１から取り出された収納カセット７１ａは、別体のキー部材３７１がキーシリンダ３７２に差し込まれて回動させられると、図示略の開閉ロック解除機構が開閉体ロック部材３６５を図示略のスプリングに付勢力に抗して下方に回動させることになり、カセットシャッタ３４３が硬貨収納体３４２に対しスライド可能となる。この状態で、操作者が、把持板部３９２を把持してカセットシャッタ３４３を硬貨収納体３４２に対し対向壁部３５２とは反対側にスライドさせると、カセット側開口部３４１を開放する開放状態となる。この開放状態では、カセット側開口部３４１を介して内部の硬貨を回収することなどができる。
【０１４８】
そして、カセットシャッタ３４３を開放状態とした収納カセット７１ａが取り出し位置に載置されガイドレール３２２ａで案内されてセット位置までカセット収納部３１１内に押し込まれると、収納カセット７１ａの対向壁部３５２が、カセットロック部材４１１に係合する。これにより、収納カセット７１ａがセット位置にロックされる。
【０１４９】
収納カセット７１ｂ〜７１ｆについても、同様にして、装置本体４１から取り出すことができ、装置本体４１にセットすることができる。
【０１５０】
収納カセット７１ａ〜７１ｆのうちの必要なものを収納引出部７２から取り出し、その後、収納引出部７２に戻した後、収納引出部７２をベース筐体４３に押し込む。その間、収納部側開閉体３３１は収納部側開口部３２５ａ〜３２５ｆを閉塞した状態にある。
【０１５１】
以上により、カセット収納部３１１には、カセットシャッタ３４３によってカセット側開口部３４１が開放された状態の収納カセット７１ａ〜７１ｆが収納される。また、カセット収納部３１１を含む収納引出部７２がベース筐体４３から引き出された状態では、収納部側開閉体３３１によって収納部側開口部３２５ａ〜３２５ｆが閉塞されている。言い換えれば、カセット収納部３１１を含む収納引出部７２が、ベース筐体４３に押し込まれて押し込み位置にある全閉状態では、収納部側開閉体３３１が収納部側開口部３２５ａ〜３２５ｆを開いており、ベース筐体４３から引き出された引き出し位置を含む開状態（全閉以外の状態）では、収納部側開閉体３３１が収納部側開口部３２５ａ〜３２５ｆを閉じている。収納引出部７２がベース筐体４３から引き出された状態では収納部側開閉体３３１で収納部側開口部３２５ａ〜３２５ｆを閉塞することにより、収納部側開口部３２５ａ〜３２５ｆを介した収納カセット７１ａ〜７１ｆ内への異物の混入を抑制することができると共に、収納部側開口部３２５ａ〜３２５ｆからの収納カセット７１ａ〜７１ｆ内への不正アクセスを防止して収納カセット７１ａ〜７１ｆのセキュリティ性を向上することができる。
【０１５２】
「自動包装処理」
制御部１４１は、上記した収納繰出部等収納処理の終了後、硬貨収納繰出部８１の出金ホッパ８１ａ〜８１ｆのそれぞれの硬貨量つまり金種別の硬貨量を、出金ホッパ８１ａ〜８１ｆ別つまり金種別に設定されたニアフル値と、金種別に比較する。出金ホッパ８１ａ〜８１ｆの何れかの硬貨量が、対応するニアフル値を超えると、制御部１４１は、出金ホッパ８１ａ〜８１ｆのニアフル値を超えたものから硬貨を棒金処理部１２に向け繰り出す繰出処理を行って、出金ホッパ８１ａ〜８１ｆのニアフル値を超えたものに収納している硬貨の硬貨量を、ニアフル値よりも所定値を超えて下回る量まで減らす。このとき、計数繰出部９１ａ〜９１ｆの対応するもので包装単位枚数或いはその倍数分の枚数を繰り出すようにする。そして、硬貨収納繰出部８１から繰り出された硬貨を棒金処理部１２で包装する。
【０１５３】
例えば、収納繰出部等収納処理の終了後、出金ホッパ８１ａに収納されている１円の正常硬貨の硬貨量が、１円の正常硬貨について設定されているニアフル値を超えると、繰出側搬送路１１１を、出金ホッパ８１ａから繰り出された硬貨を小径側中間ゲート１３１に向けて搬送する状態とし、小径側中間ゲート１３１を、繰出側搬送路１１１で搬送されてきた硬貨を棒金処理部１２側に繰り出す状態として、出金ホッパ８１ａから硬貨をその計数繰出部９１ａで包装単位枚数或いはその倍数分の枚数だけ繰り出し、出金ホッパ８１ａに収納されている１円の正常硬貨の硬貨量をニアフル値よりも所定値を超えて下回らせる。そして、出金ホッパ８１ａから繰り出された硬貨を棒金処理部１２に搬送してその包装部２０１で包装する。出金ホッパ８１ｂ，出金ホッパ８１ｃについても同様にする。
【０１５４】
また、例えば、収納繰出部等収納処理の終了後、出金ホッパ８１ｄに収納されている１００円の正常硬貨の硬貨量が、１００円の正常硬貨について設定されているニアフル値を超えると、繰出側搬送路１１１を、出金ホッパ８１ｄから繰り出された硬貨を大径側中間ゲート１３２に向けて搬送する状態とし、大径側中間ゲート１３２を、繰出側搬送路１１１で搬送されてきた硬貨を棒金処理部１２側に繰り出す状態として、出金ホッパ８１ｄから硬貨をその計数繰出部９１ｄで包装単位枚数或いはその倍数分の枚数だけ繰り出し、出金ホッパ８１ｄに収納されている１００円の正常硬貨の硬貨量をニアフル値よりも所定値を超えて下回らせる。そして、出金ホッパ８１ｄから繰り出された硬貨を棒金処理部１２に搬送してその包装部２０１で包装する。出金ホッパ８１ｅ，出金ホッパ８１ｆについても同様にする。
【０１５５】
包装部２０１では、硬貨処理部１１から受け入れた硬貨を硬貨識別計数部２１１で計数して包装単位枚数（５０枚）の硬貨を硬貨集積包装部２１２に繰り出し、硬貨集積包装部２１２が、このように繰り出された包装単位枚数の硬貨を集積させて、その周囲に包装紙を巻き回し包装紙を両側を加締めて棒金とする。即ち、包装部２０１は、硬貨収納繰出部８１から繰出処理により繰り出された硬貨を集積させて包装する。制御部１４１は、硬貨収納繰出部８１の出金ホッパ８１ａ〜８１ｆの何れか一つでも収納している硬貨量が所定量を超えると、所定量を超えた出金ホッパから硬貨を繰り出す繰出処理を行うと共に、この繰出処理で繰り出された硬貨を包装部２０１で包装する。
【０１５６】
そして、このように硬貨集積包装部２１２で作製された棒金を、棒金振分搬送部２１３、棒金出金部２０３の棒金出金リフト２２１、棒金収納部２０２の棒金収納搬送部２３１及び棒金収納リフト２３２で搬送して棒金収納本体部２３３に金種別に収納させる。ここで、棒金収納本体部２３３の対応金種の棒金が満杯である場合、硬貨集積包装部２１２で作製された棒金を、棒金振分搬送部２１３及び棒金出金リフト２２１で棒金一括収納部２２４に収納する。
【０１５７】
収納繰出部等収納処理の終了後、出金ホッパ８１ａ〜８１ｆのうちの複数の出金ホッパにおいて、収納している硬貨の硬貨量がニアフル値を超えている場合、制御部１４１は、何れか一金種について繰出処理を開始したら、繰り出した全ての硬貨が、硬貨集積包装部２１２に送り込まれて包装されるまで待機して、次の金種について繰出処理を開始し、この金種について繰り出した全ての硬貨が、硬貨集積包装部２１２に送り込まれて包装されたら、次の金種について繰出処理を開始するということを繰り返して、一金種ずつ包装する。その場合、例えば、出金ホッパ８１ａ〜８１ｆのうち、硬貨量が多いものから順に繰出処理を行う。逆に、出金ホッパ８１ａ〜８１ｆのうち、硬貨量が少ないものから順に繰出処理を行っても良い。
【０１５８】
そして、硬貨収納繰出部８１の全ての出金ホッパ８１ａ〜８１ｆの硬貨量がニアフル値を所定値を超えて下回る状態となり、硬貨収納繰出部８１から繰り出された硬貨が全て棒金となって棒金収納本体部２３３或いは棒金一括収納部２２４に収納されると、制御部１４１は、自動包装処理を終了する。
【０１５９】
自動包装処理としては、上記のように、出金ホッパ８１ａ〜８１ｆの硬貨量が包装基準値よりも大きくなった場合に行われる処理以外に、棒金処理部１２の棒金の収納量（在高）に応じて、出金ホッパ８１ａ〜８１ｆから硬貨を繰り出し棒金処理部１２に搬送して棒金を作製する処理もある。この場合、出金ホッパ８１ａ〜８１ｆの硬貨量が、運用上必要な最小値である所定の基準値を下回らない範囲で、自動的に、出金ホッパ８１ａ〜８１ｆから硬貨を繰り出し棒金処理部１２に搬送して棒金を作製する。例えば、棒金処理部１２における棒金の金種別の収納量（在高）の変化から、棒金での出金が多い金種を判別し、この金種の硬貨を硬貨処理部１１から棒金処理部１２に繰り出して棒金を作製する。
【０１６０】
ここで、硬貨処理装置１０は、自動包装処理の実行中であって、硬貨収納繰出部８１から硬貨を繰り出す繰出処理中であっても、これと並行して、上記した入金処理及び入金収納処理が可能となっている。即ち、硬貨処理装置１０は、硬貨収納繰出部８１の硬貨の繰出処理と、入金部３１から入金貯留部６２を介しての収納カセット７１ａ〜７１ｆ及び汚損硬貨収納箱８２ｇへの硬貨の収納処理とが並行処理可能となっている。そして、自動包装処理において硬貨収納繰出部８１から硬貨を繰り出す繰出処理中、制御部１４１は、上記したように硬貨収納繰出部８１へ硬貨を収納する収納繰出部等収納処理を禁止する状態になっていることから、入金貯留部６２の硬貨を硬貨収納部７１に収納する収納部収納処理を行う。即ち、制御部１４１は、自動包装処理において硬貨収納繰出部８１から硬貨を繰り出す繰出処理と、入金収納処理において硬貨収納部７１に硬貨を収納する収納部収納処理とを並行して行う。他方、硬貨収納繰出部８１から硬貨を繰り出す繰出処理中にない場合、制御部１４１は、上記したように硬貨収納繰出部８１へ硬貨を収納する収納繰出部等収納処理を許容する状態になっていることから、自動包装処理中でない場合、入金収納処理において入金貯留部６２の硬貨を硬貨収納繰出部８１に収納する収納繰出部等収納処理を行う。即ち、制御部１４１は、自動包装処理において硬貨収納繰出部８１から硬貨を繰り出す繰出処理時には、入金収納処理において、この繰出処理と並行して入金貯留部６２によって硬貨を硬貨収納部７１に収納する収納部収納処理を行う一方、この繰出処理時以外は、入金貯留部６２によって硬貨を硬貨収納繰出部８１に収納する収納繰出部等収納処理を行う。
【０１６１】
なお、自動包装処理において硬貨収納繰出部８１から硬貨を繰り出す繰出処理中、入金貯留部６２の硬貨を硬貨収納部７１に収納する収納部収納処理を行おうとした際に、硬貨収納部７１の収納カセット７１ａ〜７１ｆ及び汚損硬貨収納箱８２ｇの何れかにおいて硬貨量が満杯値に達した状態にある場合、制御部１４１は、自動包装処理の終了を待って、入金貯留部６２の硬貨を硬貨収納繰出部８１に収納する収納繰出部等収納処理を行う。また、硬貨収納部７１の収納カセット７１ａ〜７１ｆ及び汚損硬貨収納箱８２ｇの何れかにおいて硬貨量が満杯値に達した状態にあり、且つ、硬貨収納繰出部８１の出金ホッパ８１ａ〜８１ｆの何れかにおいて硬貨量が満杯値に達した状態にある場合、制御部１４１は、図示略の操作部への入金処理の選択操作を受け付けない状態となる。
【０１６２】
ここで、硬貨処理部１１の硬貨収納繰出部８１の硬貨の棒金処理部１２への繰出処理及び棒金処理部１２での包装処理と、入金部３１から入金貯留部６２を介しての硬貨収納部７１への硬貨の収納処理及び入金部３１から入金貯留部６２を介しての硬貨返却部７５への硬貨の返却処理の何れか一方の処理とが並行処理可能であり、並行処理中に、制御部１４１は、硬貨処理部１１及び棒金処理部１２の一方の処理が停止しても、他方の処理を継続して行うようになっている。
【０１６３】
即ち、棒金処理部１２に異常が発生して棒金処理部１２が停止すると、硬貨収納繰出部８１も、硬貨の棒金処理部１２への繰出処理ができない異常状態となるが、制御部１４１は、この状態でも、硬貨処理部１１の入金部３１から入金貯留部６２を介しての硬貨収納部７１への硬貨の収納処理及び入金部３１から入金貯留部６２を介しての硬貨返却部７５への硬貨の返却処理の何れか一方の処理は継続して行うようになっている。そして、硬貨処理部１１の入金部３１から入金貯留部６２を介しての硬貨収納部７１への硬貨の収納処理及び入金部３１から入金貯留部６２を介しての硬貨返却部７５への硬貨の返却処理の何れか一方が終了すると、制御部１４１は、硬貨処理部１１を停止させるようになっている。
【０１６４】
また、制御部１４１は、硬貨処理部１１の入金部３１から入金貯留部６２を介しての硬貨収納部７１への硬貨の収納処理及び入金部３１から入金貯留部６２を介しての硬貨返却部７５への硬貨の返却処理の何れか一方の処理を行っている最中に硬貨処理部１１に異常が発生して、硬貨処理部１１が停止しても、棒金処理部１２での処理は継続して行うようになっている。そして、棒金処理部１２での処理が終了すると、棒金処理部１２を停止させるようになっている。
【０１６５】
制御部１４１は、棒金処理部１２が異常発生により停止した場合及び硬貨処理部１１が異常発生により停止した場合の何れにおいても、異常が発生時点で図示略の表示部で異常発生を報知する。或いは、棒金処理部１２が異常発生により停止した場合及び硬貨処理部１１が異常発生により停止した場合の何れにおいても、異常発生後に棒金処理部１２及び硬貨処理部１１の両方が停止した時点で図示略の表示部で異常発生を報知する。
【０１６６】
なお、硬貨処理部１１の硬貨収納繰出部８１の硬貨の棒金処理部１２への繰出処理と、入金部３１から入金貯留部６２を介しての硬貨収納部７１への硬貨の収納処理及び入金部３１から入金貯留部６２を介しての硬貨返却部７５への硬貨の返却処理の何れか一方の処理との並行処理中に、収納処理又は返却処理、及び繰出処理の何れか一方の処理に異常が生じて停止したら、他方の処理も停止するようにしても良い。
【０１６７】
「硬貨出金処理」
図示略の操作部に出金させる硬貨の金種別の枚数を含む出金処理操作が入力されると、制御部１４１は、硬貨収納繰出部８１の出金ホッパ８１ａ〜８１ｆの対応する金種のものから硬貨を繰り出す繰出処理を行って硬貨出金部１０２に搬送する。
【０１６８】
例えば、出金させる硬貨に１円の正常硬貨が含まれている場合、出金ホッパ８１ａから硬貨をその計数繰出部９１ａで出金枚数だけ繰り出し、繰出側搬送路１１１及び出金側搬送路１１２で搬送して、出金識別計数部１１４で識別しつつ計数して、硬貨出金部１０２に搬送する。出金ホッパ８１ｂ〜８１ｆについても同様にする。そして、出金させる全金種の硬貨をそれぞれの設定枚数繰り出すと、制御部１４１は、硬貨出金処理を終了する。
【０１６９】
その際に、制御部１４１は、それまで硬貨収納出金処理部２２の出金ホッパ８１ａ〜８１ｆに収納していた硬貨の金種別の硬貨量から、今回の硬貨出金処理で出金ホッパ８１ａ〜８１ｆから繰り出した硬貨の金種別の硬貨量を減算する。即ち、出金ホッパ８１ａについては、それまで収納していた硬貨の硬貨量から、今回繰り出した硬貨の硬貨量を減算して、硬貨出金収納処理後に出金ホッパ８１ａに収納している硬貨量、即ち出金ホッパ８１ａの金種の正常硬貨の硬貨量を算出する。同様に、出金ホッパ８１ｂ〜８１ｆのそれぞれについても、それまで収納していた硬貨の硬貨量から、今回繰り出した硬貨の硬貨量を減算して、硬貨出金収納処理後にそれぞれに収納している硬貨量を算出する。
【０１７０】
その後、硬貨出金部１０２が、装置本体４１の収納引出部７２から取り外されて、収納していた硬貨が外部に取り出される。即ち、硬貨出金部１０２は、硬貨収納繰出部８１の繰出処理により繰り出された硬貨を外部に取り出し可能に出金する。ここで、硬貨出金処理において、出金識別計数部１１４で、出金させる硬貨に含まれない金種の硬貨や、出金枚数を超える枚数の硬貨が検出された場合、制御部１４１は、硬貨出金部１０２に貯留していた全ての硬貨を、出金リジェクト案内部１０３で出金リジェクト部１０４に収納して、硬貨出金処理をやり直す。
【０１７１】
硬貨処理装置１０は、この硬貨出金処理の実行中であって、硬貨収納繰出部８１から硬貨を繰り出す繰出処理中であっても、これと並行して、上記した入金処理及び入金収納処理が可能となっている。そして、硬貨出金処理において硬貨収納繰出部８１から硬貨を繰り出す繰出処理中、制御部１４１は、上記したように硬貨収納繰出部８１へ硬貨を収納する収納繰出部等収納処理を禁止する状態になっていることから、入金貯留部６２の硬貨を硬貨収納部７１に収納する収納部収納処理を行う。即ち、制御部１４１は、硬貨出金処理において硬貨収納繰出部８１から硬貨を繰り出す繰出処理と、入金収納処理において硬貨収納部７１に硬貨を収納する収納部収納処理とを並行して行う。他方、硬貨収納繰出部８１から硬貨を繰り出す繰出処理中にない場合、制御部１４１は、上記したように硬貨収納繰出部８１へ硬貨を収納する収納繰出部等収納処理を許容する状態になっていることから、硬貨出金処理中でない場合、入金収納処理において入金貯留部６２の硬貨を硬貨収納繰出部８１に収納する収納繰出部等収納処理を行う。即ち、制御部１４１は、硬貨出金処理において硬貨収納繰出部８１から硬貨を繰り出す繰出処理時には、入金収納処理において、この繰出処理と並行して入金貯留部６２によって硬貨を硬貨収納部７１に収納する収納部収納処理を行う一方、この繰出処理時以外は、入金貯留部６２によって硬貨を硬貨収納繰出部８１に収納する収納繰出部等収納処理を行う。
【０１７２】
なお、硬貨出金処理において硬貨収納繰出部８１から硬貨を繰り出す繰出処理中、入金貯留部６２の硬貨を硬貨収納部７１に収納する収納部収納処理を行おうとした際に、硬貨収納部７１の収納カセット７１ａ〜７１ｆ及び汚損硬貨収納箱８２ｇの何れかにおいて硬貨量が満杯値に達した満杯状態にある場合、制御部１４１は、硬貨出金処理の終了を待って、入金貯留部６２の硬貨を硬貨収納繰出部８１に収納する収納繰出部等収納処理を行う。また、硬貨収納部７１の収納カセット７１ａ〜７１ｆ及び汚損硬貨収納箱８２ｇの何れかにおいて硬貨量が満杯値に達した満杯状態にあり、且つ、硬貨収納繰出部８１の出金ホッパ８１ａ〜８１ｆの何れかにおいて硬貨量が満杯値に達した満杯状態にある場合、制御部１４１は、図示略の操作部への入金処理の選択操作を受け付けない状態となる。
【０１７３】
以上に述べた第１実施形態によれば、制御部１４１は、複数の収納カセット７１ａ〜７１ｆ及び汚損硬貨収納箱８２ｇの何れかにおいて硬貨量が満杯に近いニアフル状態になった時に、収納カセット７１ａ〜７１ｆのうち硬貨が所定量であるニアフル近傍値以上ある他の収納カセットについて、対応する金種の硬貨を収納させて満杯に近いニアフル状態にする同時回収処理を行う。よって、収納カセット７１ａ〜７１ｆ及び汚損硬貨収納箱８２ｇの回収作業を短時間に続けて何度も行わなければならない状況になることを抑制できる。したがって、収納カセット７１ａ〜７１ｆ及び汚損硬貨収納箱８２ｇの回収作業の手間を軽減可能となる。
【０１７４】
また、制御部１４１は、収納カセット７１ａ〜７１ｆ及び汚損硬貨収納箱８２ｇがニアフル状態になったと判定する基準となるニアフル値が設定変更可能であるため、収納カセット７１ａ〜７１ｆ及び汚損硬貨収納箱８２ｇが任意の硬貨量で回収可能となる。
【０１７５】
また、収納カセット７１ａ〜７１ｆが、装置本体４１から硬貨が送り込まれるカセット側開口部３４１を開閉するカセットシャッタ３４３を有する収納庫であるため、硬貨を容易に回収することができる。
【０１７６】
また、制御部１４１は、硬貨処理部１１の硬貨収納繰出部８１の硬貨の棒金処理部１２への繰出処理及び棒金処理部１２の包装処理と、硬貨処理部１１の入金部３１から硬貨収納部７１への貨幣の収納処理との並行処理中に、硬貨処理部１１及び棒金処理部１２の一方の処理が異常発生により停止しても、他方の処理を継続して行うことになる。よって、並行処理中に硬貨処理部１１及び棒金処理部１２の一方の処理が停止しても、他方の処理を続けることができる。なお、硬貨収納繰出部８１の硬貨の棒金処理部１２への繰出処理及び棒金処理部１２の包装処理と、入金部３１から硬貨収納部７１への硬貨の収納処理との並行処理中に、硬貨処理部１１及び棒金処理部１２の一方の処理が異常発生により停止したら、硬貨処理部１１及び棒金処理部１２の両方の処理を停止させても良い。
【０１７７】
以上の第１実施形態を以下の変形例１〜８のように変更することができる。
【０１７８】
［変形例１］
上記同時回収処理において、制御部１４１は、収納カセット７１ａ〜７１ｆのうちのニアフル近傍状態にあって同時回収対象であるものをニアフル状態にするために必要な硬貨量の硬貨を硬貨収納繰出部８１の出金ホッパ８１ａ〜８１ｆの対応するものから出金リジェクト部１０４に搬送するようにしたが、出金リジェクト部１０４ではなく、硬貨出金部１０２に搬送して、硬貨出金部１０２が収納引出部７２から取り出されたことを図示略のセンサで検知すると入金部３１のシャッタ３０を開き、硬貨出金部１０２から、操作者の手作業により入金部３１に投入させるようにする。或いは、収納カセット７１ａ〜７１ｆのうちのニアフル近傍状態にあって同時回収対象であるものをニアフル状態にするために必要な硬貨量の硬貨を、棒金処理部１２から棒金として上部棒金出金口２２３又は下部棒金放出口２２２に繰り出させて、棒金繰り出し後、入金部３１のシャッタ３０を開き、操作者の手作業により、棒金の包装を解いて入金部３１に投入させるようにしても良い。
【０１７９】
［変形例２］
上記同時回収処理において、収納カセット７１ａ〜７１ｆにニアフル近傍状態にあるものが２つある場合に、１つについてのニアフル状態にするために必要な硬貨量の硬貨を出金リジェクト部１０４、硬貨出金部１０２、上部棒金出金口２２３及び下部棒金放出口２２２の何れか１つに出金させ、他の１つについてのニアフル状態にするために必要な硬貨量の硬貨を出金リジェクト部１０４、硬貨出金部１０２、上部棒金出金口２２３及び下部棒金放出口２２２の他の１つに出金させるようにする。同様に、収納カセット７１ａ〜７１ｆにニアフル近傍状態にあるものが３つある場合に、１つについてのニアフル状態にするために必要な硬貨量の硬貨を出金リジェクト部１０４、硬貨出金部１０２、上部棒金出金口２２３及び下部棒金放出口２２２の何れか１つに出金させ、他の１つについてのニアフル状態にするために必要な硬貨量の硬貨を出金リジェクト部１０４、硬貨出金部１０２、上部棒金出金口２２３及び下部棒金放出口２２２の他の１つに出金させ、更に他の１つについてのニアフル状態にするために必要な硬貨量の硬貨を出金リジェクト部１０４、硬貨出金部１０２、上部棒金出金口２２３及び下部棒金放出口２２２の更に他の１つに出金させるようにする。
【０１８０】
［変形例３］
変形例１，２において、図１７に示すように、装置本体４１に対し硬貨出金部１０２と交換して装着可能であり、硬貨収納繰出部８１から繰り出された硬貨を装置本体４１外に導いて放出するシュート６０１を設ける。そして、硬貨出金部１０２を装置本体４１から取り外し、これと交換で、装置本体４１にシュート６０１を装着すると、シュート６０１で、硬貨収納繰出部８１から硬貨出金部１０２に向けて繰り出された硬貨をシュート６０１で装置本体４１外に導いて収納袋や受箱等の硬貨処理装置１０外の収納体に放出することができる。これにより、硬貨収納繰出部８１から装置本体４１外に放出する硬貨量が、受け側での制限を受けにくくなる。よって、同時回収処理時に、硬貨収納繰出部８１から繰り出された硬貨を短時間で収納カセット７１ａ〜７１ｆに追加することが可能となり、同時回収処理の時間を短縮できる。
【０１８１】
図１８に示すように、収納体６０２が収納袋からなる場合に、シュート６０１の先端部に、収納体６０２を着脱可能に係止する係止部６０３を設ける。係止部６０３は回動可能なレバー６０５と、レバー６０５が回動することで、レバー６０５に対し近接及び離間するベース部６０６とを有しており、これらレバー６０５とベース部６０６とで収納袋からなる収納体６０２の開口側を係止する。なお、装置本体４１に対し出金リジェクト部１０４と交換して装着可能であり、硬貨収納繰出部８１から出金リジェクト部１０４に向けて繰り出された硬貨を装置本体４１外に導いて放出するシュートを設けても良い。
【０１８２】
［変形例４］
硬貨収納繰出部８１の出金ホッパ８１ａ〜８１ｆから繰り出された硬貨を、繰出側搬送路１１１、出金側搬送路１１２、精査ゲート１２２、戻入下搬送路１２１、戻入縦搬送路１２３、戻入上搬送路１２５及び戻入ゲート１２６ａ〜１２６ｆによって、受け入れ状態にある入金貯留部６２の貯留区分部６３ａ〜６３ｇに振り分けるように構成する。そして、上記同時回収処理において、制御部１４１が、収納カセット７１ａ〜７１ｆのうちのニアフル近傍状態にあって同時回収対象であるものをニアフル状態にするために必要な硬貨量の硬貨を、硬貨収納繰出部８１の出金ホッパ８１ａ〜８１ｆの対応するものから、繰出側搬送路１１１、出金側搬送路１１２、精査ゲート１２２、戻入下搬送路１２１、戻入縦搬送路１２３、戻入上搬送路１２５及び戻入ゲート１２６ａ〜１２６ｆによって、入金貯留部６２に貯留し、入金貯留部６２で収納カセット７１ａ〜７１ｆに搬送して収納する。これにより、人手を介さずに収納カセット７１ａ〜７１ｆのうちのニアフル近傍状態にあって同時回収対象であるものをニアフル状態にすることができる。
【０１８３】
［変形例５］
収納カセット７１ａ〜７１ｆのそれぞれにかえて、図１９に示す、常時開口の開口部６１１を上部に有する箱状の収納箱６１２（収納部）を設けても良い。収納箱６１２は、装置本体４１から取り出し可能とされ、装置本体４１にセットされた状態で、装置本体４１から開口部６１１を介して硬貨が送り込まれ、開口部６１１を介して送り込まれた硬貨を収納する。
【０１８４】
［変形例６］
収納カセット７１ａ〜７１ｆのそれぞれにかえて、図２０に示す、常時開口の開口部６２１を上部に有する布製の収納袋６２２（収納部）を設けて良い。この場合、装置本体４１の硬貨収納部７１に、収納袋６２２の開口部６２１を着脱可能に係止する袋取付部が設けられることになり、収納袋６２２は袋取付部に係止された状態で、入金貯留部６２から硬貨を受け入れる。収納袋６２２は、装置本体４１から取り出し可能とされ、装置本体４１にセットされた状態で、装置本体４１から開口部６２１を介して硬貨が送り込まれる。
【０１８５】
［変形例７］
収納部側開閉体３３１を設けるかわりに、カセット収納部３１１の収納部側開口部３２５ａ〜３２５ｆのそれぞれに、図２１に示すように、アクセスを検出するセンサ６１５を設けても良い。センサ６１５としては、光学センサを採用可能である。
【０１８６】
ここで、センサ６１５が光学センサである場合、センサ６１５を、例えば、図２１（ａ）に示すように、水平一方向に光路が配置されるようにしつつ光路と直交する方向に複数列並べて設けたり、図２１（ｂ）に示すように、これらと直交する水平他方向に光路が配置されるようにしつつ光路と直交する方向に複数列並べて設けたり、図２１（ｃ）に示すように、水平一方向に光路が配置されるようにしつつ光路と直交する方向に複数列並べて設けると共に、これらと直交する水平他方向に光路が配置されるようにしつつ光路と直交する方向に複数列並べて設けたりすることが可能である。
【０１８７】
制御部１４１は、収納引出部７２がベース筐体４３から引き出された状態で、収納部側開口部３２５ａ〜３２５ｆの対応するものへ手が挿入される等してセンサ６１５の光路が遮光されると、装置本体４１に設けられた図示略の表示部に、画像表示及び音声出力の少なくとも何れか一方でアクセスがあったことの報知を行わせる。或いは、制御部１４１は、収納引出部７２がベース筐体４３から引き出された状態で、収納部側開口部３２５ａ〜３２５ｆの対応するものへ手が挿入される等してセンサ６１５の光路が遮光されると、アクセスがあったことをログで記憶しつつ、装置本体４１に設けられた図示略の表示部に、画像表示及び音声出力の少なくとも何れか一方でアクセスがあったことの報知を行わせる。センサ６１５は、収納部側開口部３２５ａ〜３２５ｆを介しての収納カセット７１ａ〜７１ｆへの手の挿入を検知する手挿入検知センサである。制御部１４１は、更に、装置本体４１に設けられた図示略の操作部に認証操作が行われると、報知を中止し、操作記録を記憶するようになっている。これにより、収納部側開閉体３３１がなくても、収納引出部７２がベース筐体４３から引き出された状態での、収納部側開口部３２５ａ〜３２５ｆからの収納カセット７１ａ〜７１ｆ内への不正アクセスを防止することができる。
【０１８８】
変形例７によれば、収納引出部７２が引き出された状態で、その収納部側開口部３２５ａ〜３２５ｆへのアクセスをセンサ６１５が検出する。よって、収納部側開閉体３３１を設けなくても済むため、収納引出部７２の重量増を抑制しつつセキュリティ性を高めることができる。
【０１８９】
変形例７において、収納部としては、収納カセット７１ａ〜７１ｆにかえて変形例５の収納箱６１２を設けても良く、変形例６の収納袋６２２を設けて良い。
【０１９０】
［変形例８］
収納部側開閉体３３１及びセンサ６１５が無くても良い。つまり、不正アクセスを防止する為の機構を持たない構成としても良い。
【０１９１】
＜第２実施形態＞
本発明に係る貨幣処理装置の第２実施形態である硬貨処理装置について、第１実施形態との相違部分を中心として以下に説明する。第２実施形態の硬貨処理装置１０は、第１実施形態に対して、硬貨回収処理が一部相違している。
【０１９２】
「硬貨回収処理」
第１実施形態と同様、制御部１４１は、上記した収納部収納処理終了時に、上記のようにして算出された収納カセット７１ａ〜７１ｆの各金種別の硬貨量を各金種別に予め設定された収納カセット７１ａ〜７１ｆのニアフル値及びニアフル近傍値（所定量）と比較して、収納カセット７１ａ〜７１ｆのそれぞれについて、満杯に近いニアフル状態になったか否か及びニアフル状態に近いニアフル近傍状態になったか否かを判定する。それと共に、制御部１４１は、汚損硬貨収納箱８２ｇの汚損硬貨の硬貨量を予め設定された汚損硬貨収納箱８２ｇのニアフル値と比較して、汚損硬貨収納箱８２ｇについて、満杯に近いニアフル状態になったか否かを判定する。また、制御部１４１は、上記した収納繰出部等収納処理終了時においても、上記のようにして算出された汚損硬貨収納箱８２ｇの汚損硬貨の硬貨量を汚損硬貨の予め設定された汚損硬貨収納箱８２ｇのニアフル値と比較して、汚損硬貨収納箱８２ｇについて満杯に近いニアフル状態になったか否かを判定する。
【０１９３】
そして、上記判定の結果、収納カセット７１ａ〜７１ｆ及び汚損硬貨収納箱８２ｇのうちの少なくとも一つがニアフル状態であると判定すると、制御部１４１は、第１実施形態と同様、図示略の表示部に、収納カセット７１ａ〜７１ｆ及び汚損硬貨収納箱８２ｇのうちのニアフル状態にあるものを表示させる。その際に、制御部１４１は、収納カセット７１ａ〜７１ｆにニアフル近傍状態にあるものがなければ、ニアフル状態にあるものの表示に加えて、回収処理を行うか、回収処理を行わないかの選択操作の入力を促す表示を表示させる。他方、ニアフル状態にあるものを表示させる際に、収納カセット７１ａ〜７１ｆにニアフル近傍状態にあるものがあれば、制御部１４１は、収納カセット７１ａ〜７１ｆ及び汚損硬貨収納箱８２ｇのうちのニアフル状態にあるものに加えて、収納カセット７１ａ〜７１ｆのうちのニアフル近傍状態にあるものも表示させ、ニアフル状態にあるもののみを回収する最小回収処理を行うか、ニアフル近傍状態にあるものも同時に回収する同時回収処理を行うか、最小回収処理及び同時回収処理の何れも行わないかの選択操作の入力を促す表示を表示させる。
【０１９４】
ニアフル近傍状態にあるものがなく回収処理を行う旨の選択操作が入力された場合、及び、ニアフル近傍状態にあるものがあって最小回収処理を行う旨の選択操作が入力された場合、制御部１４１は、ニアフル状態にあるものに収納カセット７１ａ〜７１ｆの何れかが含まれる場合、収納引出部７２をベース筐体４３から引き出し可能な状態とする。また、ニアフル状態にあるものに汚損硬貨収納箱８２ｇが含まれる場合、出金繰出引出部８５をベース筐体４３から引き出し可能な状態とする。
【０１９５】
これにより、操作者は、ニアフル状態にあるものが収納カセット７１ａ〜７１ｆの何れかである場合、収納カセット７１ａ〜７１ｆのうちニアフル状態にあるものを装置本体４１から取り外し回収して、交換用のものと交換することになり、汚損硬貨収納箱８２ｇがニアフル状態にあれば、汚損硬貨収納箱８２ｇの硬貨を回収することになる。そして、制御部１４１は、ニアフル状態にあるものに収納カセット７１ａ〜７１ｆの何れかが含まれる場合、収納カセット７１ａ〜７１ｆのうち、ニアフル状態にあったものが交換用のものと交換されてニアフル状態でなくなり、ニアフル状態にあるものが汚損硬貨収納箱８２ｇである場合、汚損硬貨収納箱８２ｇがニアフル状態でなくなって、収納カセット７１ａ〜７１ｆ及び汚損硬貨収納箱８２ｇが全てニアフル状態でなくなれば、硬貨回収処理を終了する。
【０１９６】
他方、収納カセット７１ａ〜７１ｆにニアフル近傍状態にあるものがあって、図示略の操作部に、同時回収処理を行う旨の選択操作が入力されると、制御部１４１は、収納カセット７１ａ〜７１ｆのうちのニアフル近傍状態にあるものから同時回収対象の収納カセットを、図示略の操作部への入力で、全指定を含んで指定させ、収納カセット７１ａ〜７１ｆのうちのニアフル近傍状態にあって同時回収対象であるものそれぞれについて、現在収納している硬貨の硬貨量から、満杯状態と判定できる満杯値にするために必要な硬貨量を割り出し、割り出した硬貨量の硬貨を、硬貨収納繰出部８１の出金ホッパ８１ａ〜８１ｆの対応する金種のものから繰り出す繰出処理を行って、硬貨出金部１０２を介して出金リジェクト部１０４に搬送する。
【０１９７】
例えば、収納カセット７１ａがニアフル近傍状態にあって同時回収対象である場合、出金ホッパ８１ａから硬貨をその計数繰出部９１ａで、収納カセット７１ａを満杯値にするために必要な硬貨量だけ繰り出し、繰出側搬送路１１１及び出金側搬送路１１２で搬送して、出金識別計数部１１４で識別しつつ計数して、硬貨出金部１０２に搬送し、出金リジェクト部１０４に搬送する。収納カセット７１ｂ〜７１ｆの何れかがニアフル近傍状態にあって同時回収対象である場合も、出金ホッパ８１ｂ〜８１ｆの対応するもので同様に、収納カセット７１ｂ〜７１ｆのニアフル近傍状態にあって同時回収対象であるものを満杯値にするために必要な硬貨量の硬貨を繰り出し、出金リジェクト部１０４に搬送する。このようにして、収納カセット７１ａ〜７１ｆのうちのニアフル近傍状態にあって同時回収対象であるものを全て満杯値にするために必要な硬貨を出金リジェクト部１０４に搬送する。
【０１９８】
その際に、制御部１４１は、第１実施形態と同様、それまでに硬貨収納出金処理部２２の出金ホッパ８１ａ〜８１ｆに収納していた硬貨の金種別の硬貨量である硬貨量から、今回の同時回収処理で出金ホッパ８１ａ〜８１ｆから繰り出す硬貨の金種別の硬貨量を減算する。
【０１９９】
収納カセット７１ａ〜７１ｆのうちのニアフル近傍状態にあって同時回収対象であるものの硬貨量を全て満杯値にするために必要な硬貨を出金リジェクト部１０４に搬送すると、制御部１４１は、出金リジェクト部１０４を装置本体４１の収納引出部７２から取り出し可能な状態として、出金リジェクト部１０４の硬貨の入金部３１への投入を促す表示を図示略の表示部に表示させる。
【０２００】
出金リジェクト部１０４が収納引出部７２から引き出されたことを図示略のセンサで検知すると、制御部１４１は、入金部３１のシャッタ３０を開く。すると、操作者の手作業により出金リジェクト部１０４の硬貨が入金部３１に投入される。入金部３１内に硬貨が投入されたこと及び出金リジェクト部１０４が収納引出部７２に押し込まれたことを図示略のセンサで検知すると、制御部１４１は、出金リジェクト部１０４を収納引出部７２にロックした後、上記した入金処理と同様にして、入金部３１に投入された硬貨を、金種別に分類して入金貯留部６２に貯留させると共に、入金収納処理の収納部収納処理と同様にして、入金貯留部６２の硬貨を金種別に分類した状態のまま硬貨収納部７１に収納する。これにより、ニアフル近傍状態にあった同時回収対象の収納カセットの硬貨量が全て満杯値になる。
【０２０１】
その後、制御部１４１は、図示略の表示部に、収納カセット７１ａ〜７１ｆ及び汚損硬貨収納箱８２ｇのうちのニアフル状態にあるもの及び収納カセット７１ａ〜７１ｆのうちの硬貨量が満杯値になったものを表示させると共に、ニアフル状態にあるもの及び硬貨量が満杯値になったものに収納カセット７１ａ〜７１ｆの何れかが含まれる場合、収納引出部７２をベース筐体４３から引き出し可能な状態とする。また、ニアフル状態にあるものに汚損硬貨収納箱８２ｇが含まれる場合、出金繰出引出部８５をベース筐体４３から引き出し可能な状態とする。
【０２０２】
これにより、操作者は、収納カセット７１ａ〜７１ｆのうちニアフル状態にあるもの及び硬貨量が満杯値になったものを装置本体４１から取り外し回収して、交換用のものと交換したり、汚損硬貨収納箱８２ｇがニアフル状態にあれば、汚損硬貨収納箱８２ｇの硬貨を回収したりする。そして、制御部１４１は、ニアフル状態にあるもの及び硬貨量が満杯値になったものに収納カセット７１ａ〜７１ｆの何れかが含まれる場合、収納カセット７１ａ〜７１ｆのうち、ニアフル状態にあったもの及び硬貨量が満杯値になったものが交換用のものと交換されてニアフル状態及び満杯状態の何れでもなくなり、ニアフル状態にあるものが汚損硬貨収納箱８２ｇを含む場合、汚損硬貨収納箱８２ｇがニアフル状態でなくなって、収納カセット７１ａ〜７１ｆ及び汚損硬貨収納箱８２ｇが全てニアフル状態及び満杯状態の何れでもなくなれば、同時回収処理を終了する。
【０２０３】
即ち、制御部１４１は、収納カセット７１ａ〜７１ｆのうちの何れか１つ又は複数の収納カセットで硬貨が満杯に近いニアフル状態になった時に、収納カセット７１ａ〜７１ｆのうちの硬貨がニアフル近傍値（所定量）以上ある１つ又は複数の他の収納カセットについて、対応する金種の硬貨を収納させて満杯状態にする同時回収処理を行う。
【０２０４】
以上に述べた第２実施形態によれば、制御部１４１は、複数の収納カセット７１ａ〜７１ｆ及び汚損硬貨収納箱８２ｇの何れかにおいて硬貨量が満杯に近いニアフル状態になった時に、収納カセット７１ａ〜７１ｆのうち硬貨が所定量であるニアフル近傍値以上ある他の収納カセットについて、対応する金種の硬貨を収納させて満杯状態にする同時回収処理を行う。よって、収納カセット７１ａ〜７１ｆ及び汚損硬貨収納箱８２ｇの回収作業を短時間に続けて何度も行わなければならない状況になることを抑制できる。したがって、収納カセット７１ａ〜７１ｆ及び汚損硬貨収納箱８２ｇの回収作業の手間を軽減可能となる。また、収納カセット７１ａ〜７１ｆのうち、硬貨がニアフル近傍値以上ある収納カセットを満杯にするため、より多くの硬貨を回収できる。
【０２０５】
以上の第２実施形態についても、第１実施形態における変形例１〜８と同様に変更が可能である。
【０２０６】
＜第３実施形態＞
本発明に係る貨幣処理装置の第３実施形態である硬貨処理装置について、第１実施形態との相違部分を中心として以下に説明する。第３実施形態の硬貨処理装置１０は、第１実施形態に対して、硬貨回収処理が一部相違している。
【０２０７】
「硬貨回収処理」
第１実施形態と同様、制御部１４１は、上記した収納部収納処理終了時に、上記のようにして算出された収納カセット７１ａ〜７１ｆの各金種別の硬貨量を各金種別に予め設定された収納カセット７１ａ〜７１ｆのニアフル値及びニアフル近傍値（所定量）と比較して、収納カセット７１ａ〜７１ｆのそれぞれについて、満杯に近いニアフル状態になったか否か及びニアフル状態に近いニアフル近傍状態になったか否かを判定する。それと共に、制御部１４１は、汚損硬貨収納箱８２ｇの汚損硬貨の硬貨量を予め設定された汚損硬貨収納箱８２ｇのニアフル値と比較して、汚損硬貨収納箱８２ｇについて、満杯に近いニアフル状態になったか否かを判定する。また、制御部１４１は、上記した収納繰出部等収納処理終了時においても、上記のようにして算出された汚損硬貨収納箱８２ｇの汚損硬貨の硬貨量を汚損硬貨の予め設定された汚損硬貨収納箱８２ｇのニアフル値と比較して、汚損硬貨収納箱８２ｇについて満杯に近いニアフル状態になったか否かを判定する。
【０２０８】
そして、上記判定の結果、収納カセット７１ａ〜７１ｆ及び汚損硬貨収納箱８２ｇのうちの少なくとも一つがニアフル状態であると判定すると、制御部１４１は、図示略の表示部に、収納カセット７１ａ〜７１ｆ及び汚損硬貨収納箱８２ｇのうちのニアフル状態にあるものを表示させる。その際に、制御部１４１は、収納カセット７１ａ〜７１ｆにニアフル近傍状態にあるものがなければ、ニアフル状態にあるものの表示に加えて、回収処理を行うか、回収処理を行わないかの選択操作の入力を促す表示を表示させる。他方、ニアフル状態にあるものを表示させる際に、収納カセット７１ａ〜７１ｆにニアフル近傍状態にあるものがあれば、制御部１４１は、収納カセット７１ａ〜７１ｆ及び汚損硬貨収納箱８２ｇのうちのニアフル状態にあるものに加えて、収納カセット７１ａ〜７１ｆのうちのニアフル近傍状態にあるものも表示させ、ニアフル状態にあるもののみを回収する最小回収処理を行うか、ニアフル近傍状態にあるものも同時に回収する同時回収処理を行うか、最小回収処理及び同時回収処理の何れも行わないかの選択操作の入力を促す表示を表示させる。
【０２０９】
ニアフル近傍状態にあるものがなく回収処理を行う旨の選択操作が入力された場合、及び、ニアフル近傍状態にあるものがあって最小回収処理を行う旨の選択操作が入力された場合、制御部１４１は、ニアフル状態にあるものに収納カセット７１ａ〜７１ｆの何れかが含まれる場合、収納引出部７２をベース筐体４３から引き出し可能な状態とする。また、ニアフル状態にあるものに汚損硬貨収納箱８２ｇが含まれる場合、出金繰出引出部８５をベース筐体４３から引き出し可能な状態とする。
【０２１０】
これにより、操作者は、ニアフル状態にあるものが収納カセット７１ａ〜７１ｆの何れかである場合、収納カセット７１ａ〜７１ｆのうちニアフル状態にあるものを装置本体４１から取り外し回収して、交換用のものと交換することになり、汚損硬貨収納箱８２ｇがニアフル状態にあれば、汚損硬貨収納箱８２ｇの硬貨を回収することになる。そして、制御部１４１は、ニアフル状態にあるものに収納カセット７１ａ〜７１ｆの何れかが含まれる場合、収納カセット７１ａ〜７１ｆのうち、ニアフル状態にあったものが交換用のものと交換されてニアフル状態でなくなり、ニアフル状態にあるものが汚損硬貨収納箱８２ｇである場合、汚損硬貨収納箱８２ｇがニアフル状態でなくなって、収納カセット７１ａ〜７１ｆ及び汚損硬貨収納箱８２ｇが全てニアフル状態でなくなれば、硬貨回収処理を終了する。
【０２１１】
他方、収納カセット７１ａ〜７１ｆにニアフル近傍状態にあるものがあって、図示略の操作部に、同時回収処理を行う旨の選択操作が入力されると、制御部１４１は、収納カセット７１ａ〜７１ｆのうちのニアフル近傍状態にあるものから同時回収対象の収納カセットを、図示略の操作部への入力で、全指定を含んで指定させ、収納カセット７１ａ〜７１ｆのうちのニアフル近傍状態にあって同時回収対象であるもの及びニアフル状態にあるもののそれぞれについて、現在収納している硬貨の硬貨量から、満杯状態と判定できる満杯値にするために必要な硬貨量を割り出し、割り出した硬貨量の硬貨を、硬貨収納繰出部８１の出金ホッパ８１ａ〜８１ｆの対応する金種のものから繰り出す繰出処理を行って、硬貨出金部１０２を介して出金リジェクト部１０４に搬送する。
【０２１２】
例えば、収納カセット７１ａがニアフル状態にある場合及びニアフル近傍状態にあって同時回収対象である場合、出金ホッパ８１ａから硬貨をその計数繰出部９１ａで、収納カセット７１ａを満杯値にするために必要な硬貨量だけ繰り出し、繰出側搬送路１１１及び出金側搬送路１１２で搬送して、出金識別計数部１１４で識別しつつ計数して、硬貨出金部１０２に搬送し、出金リジェクト部１０４に搬送する。収納カセット７１ｂ〜７１ｆの何れかが、ニアフル状態にある場合及びニアフル近傍状態にあって同時回収対象である場合も、出金ホッパ８１ｂ〜８１ｆの対応するもので同様に、収納カセット７１ｂ〜７１ｆのうちのニアフル状態にあるもの及びニアフル近傍状態にあって同時回収対象であるものをそれぞれ満杯値にするために必要な硬貨量の硬貨を繰り出し、出金リジェクト部１０４に搬送する。このようにして、収納カセット７１ａ〜７１ｆのうちのニアフル状態にあるもの及びニアフル近傍状態にあって同時回収対象であるものを全て満杯値にするために必要な硬貨を出金リジェクト部１０４に搬送する。
【０２１３】
その際に、制御部１４１は、第１実施形態と同様、それまでに硬貨収納出金処理部２２の出金ホッパ８１ａ〜８１ｆに収納していた硬貨の金種別の硬貨量である硬貨量から、今回の同時回収処理で出金ホッパ８１ａ〜８１ｆから繰り出した硬貨の金種別の硬貨量を減算する。
【０２１４】
上記のようにして、収納カセット７１ａ〜７１ｆのうちのニアフル状態にあるもの及びニアフル近傍状態にあって同時回収対象であるものを全て満杯値にするために必要な硬貨を出金リジェクト部１０４に搬送すると、制御部１４１は、出金リジェクト部１０４を装置本体４１の収納引出部７２から取り出し可能な状態として、出金リジェクト部１０４の硬貨の入金部３１への投入を促す表示を図示略の表示部に表示させる。
【０２１５】
出金リジェクト部１０４が収納引出部７２から引き出されたことを図示略のセンサで検知すると、制御部１４１は、入金部３１のシャッタ３０を開く。すると、操作者の手作業により出金リジェクト部１０４の硬貨が入金部３１に投入される。入金部３１内に硬貨が投入されたこと及び出金リジェクト部１０４が収納引出部７２に押し込まれたことを図示略のセンサで検知すると、制御部１４１は、出金リジェクト部１０４を収納引出部７２にロックした後、上記した入金処理と同様にして、入金部３１に投入された硬貨を、金種別に分類して入金貯留部６２に貯留させると共に、入金収納処理の収納部収納処理と同様にして、入金貯留部６２の硬貨を金種別に分類した状態のまま硬貨収納部７１に収納する。これにより、収納カセット７１ａ〜７１ｆのうちのニアフル状態にあった収納カセット及びニアフル近傍状態にあった同時回収対象の収納カセットの硬貨量が全て満杯値になる。
【０２１６】
その後、制御部１４１は、硬貨量が満杯値になったものに収納カセット７１ａ〜７１ｆの何れかが含まれる場合、図示略の表示部に、収納カセット７１ａ〜７１ｆのうちの硬貨量が満杯値になったものを表示させると共に、収納引出部７２をベース筐体４３から引き出し可能な状態とする。また、汚損硬貨収納箱８２ｇがニアフル状態にあれば、これを表示させると共に、出金繰出引出部８５をベース筐体４３から引き出し可能な状態とする。これにより、操作者は、収納カセット７１ａ〜７１ｆのうち硬貨量が満杯値になったものを装置本体４１から取り外し回収して、交換用のものと交換したり、汚損硬貨収納箱８２ｇがニアフル状態にあれば、汚損硬貨収納箱８２ｇの硬貨を回収したりする。そして、制御部１４１は、硬貨量が満杯値になったものに収納カセット７１ａ〜７１ｆの何れかが含まれる場合、収納カセット７１ａ〜７１ｆのうち、硬貨量が満杯値になったものが交換用のものと交換されて満杯状態でなくなり、ニアフル状態にあるものが汚損硬貨収納箱８２ｇを含む場合、汚損硬貨収納箱８２ｇがニアフル状態でなくなって、収納カセット７１ａ〜７１ｆ及び汚損硬貨収納箱８２ｇが全て満杯状態及びニアフル状態の何れでもなくなれば、同時回収処理を終了する。
【０２１７】
即ち、制御部１４１は、収納カセット７１ａ〜７１ｆのうちの何れか１つ又は複数の収納カセットで硬貨が満杯に近いニアフル状態になった時に、収納カセット７１ａ〜７１ｆのうちのニアフル状態になった収納カセットと、収納カセット７１ａ〜７１ｆのうちの硬貨がニアフル近傍値（所定量）以上ある１つ又は複数の他の収納カセットとについて、対応する金種の硬貨を収納させて満杯状態にする同時回収処理を行う。
【０２１８】
以上に述べた第３実施形態によれば、制御部１４１は、複数の収納カセット７１ａ〜７１ｆ及び汚損硬貨収納箱８２ｇの何れかにおいて硬貨量が満杯に近いニアフル状態になった時に、収納カセット７１ａ〜７１ｆのうちのニアフル状態になった収納カセットと、収納カセット７１ａ〜７１ｆのうち硬貨が所定量であるニアフル近傍値以上ある他の収納カセットとについて、対応する金種の硬貨を収納させて満杯状態にする同時回収処理を行う。よって、収納カセット７１ａ〜７１ｆ及び汚損硬貨収納箱８２ｇの回収作業を短時間に続けて何度も行わなければならない状況になることを抑制できる。したがって、収納カセット７１ａ〜７１ｆ及び汚損硬貨収納箱８２ｇの回収作業の手間を軽減可能となる。また、収納カセット７１ａ〜７１ｆのうち、硬貨がニアフル値以上ある収納カセットとニアフル近傍値以上ある収納カセットとを満杯にするため、より多くの硬貨を回収できる。
【０２１９】
以上の第３実施形態についても、第１実施形態における変形例１〜８と同様に変更が可能である。
【０２２０】
第１〜第３実施形態の硬貨回収処理を全て実行可能とし、これらの硬貨回収処理の中から選択された硬貨回収処理を実行するようにしても良い。この場合、何れかの硬貨回収処理をデフォルトとして設定したり、硬貨回収処理を行う都度、図示略の操作部への操作で、第１〜第３実施形態の何れかの硬貨回収処理を選択させたりすることができる。
【０２２１】
以上においては、貨幣処理装置として貨幣のうちの硬貨を処理する硬貨処理装置を例にとり説明したが、貨幣処理装置として貨幣のうちの紙幣を処理する紙幣処理装置にも適用可能である。この場合、纏め処理は、紙幣を所定枚数ずつ纏め、結束テープで一体化して束紙幣とする結束処理を行うことになる。
【符号の説明】
【０２２２】
１０…硬貨処理装置（貨幣処理装置）、１１…硬貨処理部（貨幣処理部）、１２…棒金処理部（纏め処理部）、３１…入金部、４１…装置本体、７１ａ〜７１ｆ…収納カセット（収納部，収納庫）、８１…硬貨収納繰出部（収納繰出部）、１０２…硬貨出金部（出金部）、１４１…制御部、３４１…カセット側開口部（開口部）、３４３…カセットシャッタ（シャッタ）、６０１…シュート、６１１…開口部、６１２…収納箱（収納部）、６１５…センサ、６２１…開口部、６２２…収納袋（収納部）。
【図１】
2018181265.tif 000003
【図２】
2018181265.tif 000004
【図３】
2018181265.tif 000005
【図４】
2018181265.tif 000006
【図５】
2018181265.tif 000007
【図６】
2018181265.tif 000008
【図７】
2018181265.tif 000009
【図８】
2018181265.tif 000010
【図９】
2018181265.tif 000011
【図１０】
2018181265.tif 000012
【図１１】
2018181265.tif 000013
【図１２】
2018181265.tif 000014
【図１３】
2018181265.tif 000015
【図１４】
2018181265.tif 000016
【図１５】
2018181265.tif 000017
【図１６】
2018181265.tif 000018
【図１７】
2018181265.tif 000019
【図１８】
2018181265.tif 000020
【図１９】
2018181265.tif 000021
【図２０】
2018181265.tif 000022
【図２１】
2018181265.tif 000023